(57)【要約】  本発明のフォーリンゲートウェイ（ＦＧＷ）（１０５）は、携帯端末（１０７）を介してホームゲートウェイ（ＨＧＷ）（１０４）に対するアクセス権限を証明する認証情報を取得する。そして、メディアサーバ（１０３）に格納されているコンテンツをプレーヤ（１０６）で再生する場合、ＦＧＷ（１０５）は、ＨＧＷ（１０４）に対して認証情報を提示することによりアクセスを許可される。コンテンツの視聴後、ＦＧＷ（１０５）は、携帯端末（１０７）との通信が不可能になるなど、一定の条件が満たされると、ＨＧＷ（１０４）に対して自機からのアクセスを許可しないことを要求し、ＨＧＷ（１０４）は、ＦＧＷ（１０５）からのアクセスを許可しなくなる。これにより、自機が属するネットワークの外部にある機器のアクセス権限を適切な契機で無効化し、意図しない外部からのアクセスを防止するためのゲートウェイ装置を実現する。
2008050560.tif 000002
【特許請求の範囲】
【請求項１】
自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバであって、
上記コンテンツ提供サーバにアクセスして上記コンテンツを取得するために必要な認証情報を、ユーザが所持する端末装置を介して取得する認証情報取得手段と、
上記認証情報に基づき、上記コンテンツ提供サーバにアクセスするためのアクセス権限を上記コンテンツ提供サーバから取得するアクセス権限取得手段とを備え、
上記アクセス権限が取得されたあと、上記端末装置と通信できなくなった場合、上記アクセス権限を無効化するアクセス権限無効化手段とを備えていることを特徴とするコンテンツ配信サーバ。
【請求項２】
自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバであって、
上記コンテンツ提供サーバにアクセスして上記コンテンツを取得するために必要な認証情報を、ユーザが所持する端末装置を介して取得する認証情報取得手段と、
上記認証情報に基づき、上記コンテンツ提供サーバにアクセスするためのアクセス権限を上記コンテンツ提供サーバから取得するアクセス権限取得手段とを備え、
上記アクセス権限が取得されたあと、上記アクセス権限を取得してから経過した期間が、上記ユーザによって設定される上記アクセス権限の有効期間を超えた場合、上記アクセス権限を無効化するアクセス権限無効化手段とを備えていることを特徴とするコンテンツ配信サーバ。
【請求項３】
自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバであって、
上記コンテンツ提供サーバにアクセスして上記コンテンツを取得するために必要な認証情報を、ユーザが所持する端末装置を介して取得する認証情報取得手段と、
上記認証情報に基づき、上記コンテンツ提供サーバにアクセスするためのアクセス権限を上記コンテンツ提供サーバから取得するアクセス権限取得手段と、
上記コンテンツ再生装置の再生機能の終了を検出する再生機能終了検出手段とを備え、
上記アクセス権限が取得されたあと、上記再生機能終了検出手段が上記再生機能の終了を検出した場合、上記アクセス権限を無効化するアクセス権限無効化手段とを備えていることを特徴とするコンテンツ配信サーバ。
【請求項４】
自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバであって、
上記コンテンツ提供サーバにアクセスして上記コンテンツを取得するために必要な認証情報を、ユーザが所持する端末装置を介して取得する認証情報取得手段と、
上記認証情報に基づき、上記コンテンツ提供サーバにアクセスするためのアクセス権限を上記コンテンツ提供サーバから取得するアクセス権限取得手段と、
上記コンテンツ再生装置におけるコンテンツの再生状況を検出する再生状況検出手段とを備え、
上記アクセス権限が取得されたあと、上記再生状況に応じて定まる時間が経過した場合、上記アクセス権限を無効化するアクセス権限無効化手段とを備えていることを特徴とするコンテンツ配信サーバ。
【請求項５】
自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバであって、
上記コンテンツ提供サーバにアクセスして上記コンテンツを取得するために必要な認証情報を、ユーザが所持する端末装置を介して取得する認証情報取得手段と、
上記認証情報に基づき、上記コンテンツ提供サーバにアクセスするためのアクセス権限を上記コンテンツ提供サーバから取得するアクセス権限取得手段とを備え、
上記アクセス権限が取得されたあと、自機とは異なる外部コンテンツ配信サーバが上記端末装置を介して取得した上記認証情報を用いて上記アクセス権限を上記コンテンツ提供サーバから取得した場合、上記アクセス権限を無効化するアクセス権限無効化手段とを備えていることを特徴とするコンテンツ配信サーバ。
【請求項６】
自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバであって、
上記コンテンツ提供サーバにアクセスして上記コンテンツを取得するために必要な認証情報を、ユーザが所持する端末装置を介して取得する認証情報取得手段と、
上記認証情報に基づき、上記コンテンツ提供サーバにアクセスするためのアクセス権限を上記コンテンツ提供サーバから取得するアクセス権限取得手段と、
上記コンテンツ再生装置の電源断を検出する電源断検出手段とを備え、
上記アクセス権限が取得されたあと、上記コンテンツ再生装置の電源断が検出された場合、上記アクセス権限を無効化するアクセス権限無効化手段とを備えていることを特徴とするコンテンツ配信サーバ。
【請求項７】
上記再生状況検出手段は、
上記再生状況として、上記コンテンツ再生装置がコンテンツのリストを取得したことを検出することを特徴とする請求の範囲第４項に記載のコンテンツ配信サーバ。
【請求項８】
上記再生状況検出手段は、
上記再生状況として、上記コンテンツ再生装置が再生中の上記コンテンツについて再生を一時的に停止したことを検出することを特徴とする請求の範囲第４項に記載のコンテンツ配信サーバ。
【請求項９】
上記再生状況検出手段は、
上記再生状況として、上記コンテンツ再生装置が再生中の上記コンテンツについて再生を最後まで終了したことを検出することを特徴とする請求の範囲第４項に記載のコンテンツ配信サーバ。
【請求項１０】
上記再生状況検出手段は、
上記再生状況として、上記コンテンツ再生装置が上記コンテンツ提供サーバによって管理される全ての上記コンテンツについて再生を終了したことを検出することを特徴とする請求の範囲第４項に記載のコンテンツ配信サーバ。
【請求項１１】
請求の範囲第１項〜第１０項のいずれか１項に記載の上記コンテンツ配信サーバが属するネットワークの外部に存在し、該コンテンツ配信サーバからの要求に応じて、上記アクセス権限を無効化するコンテンツ配信サーバアクセス権限無効化手段を備えていることを特徴とするコンテンツ提供サーバ。
【請求項１２】
上記コンテンツ配信サーバアクセス権限無効化手段は、
上記端末装置からの要求に応じて、上記アクセス権限を無効化することを特徴とする請求の範囲第１１項に記載のコンテンツ提供サーバ。
【請求項１３】
請求の範囲第１１項または第１２項に記載の上記コンテンツ提供サーバから、上記認証情報を取得するコンテンツ提供サーバ認証情報取得手段と、
上記コンテンツ提供サーバ認証情報取得手段によって取得した上記認証情報を上記コンテンツ配信サーバに提供するコンテンツ提供サーバ認証情報提供手段とを備えていることを特徴とする端末装置。
【請求項１４】
請求の範囲第１項〜第１０項のいずれか１項に記載のコンテンツ配信サーバと、
請求の範囲第１１項または第１２項に記載のコンテンツ提供サーバと、
請求の範囲第１３項に記載の端末装置と、
上記コンテンツ配信サーバが属するローカルネットワークに属し、上記コンテンツ配信サーバによって配信される上記コンテンツを再生するコンテンツ再生装置とを含み、
上記コンテンツ提供サーバは、上記コンテンツ配信サーバからの要求に応じて、上記コンテンツ配信サーバまたは上記外部コンテンツ配信サーバの上記アクセス権限を無効化することを特徴とするコンテンツ配信システム。
【請求項１５】
上記コンテンツを再生するコンテンツ再生装置を備えた請求の範囲第１項〜第１０項のいずれか１項に記載のコンテンツ配信サーバ。
【請求項１６】
自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバのコンテンツ配信方法であって、
上記コンテンツ提供サーバにアクセスして上記コンテンツを取得するために必要な認証情報を、ユーザが所持する端末装置を介して取得する認証情報取得ステップと、
上記認証情報に基づき、上記コンテンツ提供サーバにアクセスするためのアクセス権限を上記コンテンツ提供サーバから取得するアクセス権限取得ステップとを含み、
上記アクセス権限が取得されたあと、上記端末装置と通信できなくなった場合、上記アクセス権限を無効化するアクセス権限無効化ステップとを含んでいることを特徴とするコンテンツ配信方法。
【請求項１７】
自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバのコンテンツ配信方法であって、
上記コンテンツ提供サーバにアクセスして上記コンテンツを取得するために必要な認証情報を、ユーザが所持する端末装置を介して取得する認証情報取得ステップと、
上記認証情報に基づき、上記コンテンツ提供サーバにアクセスするためのアクセス権限を上記コンテンツ提供サーバから取得するアクセス権限取得ステップとを含み、
上記アクセス権限が取得されたあと、上記アクセス権限を取得してから経過した期間が、上記ユーザによって設定される上記アクセス権限の有効期間を超えた場合、上記アクセス権限を無効化するアクセス権限無効化ステップとを含んでいることを特徴とするコンテンツ配信方法。
【請求項１８】
自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバのコンテンツ配信方法であって、
上記コンテンツ提供サーバにアクセスして上記コンテンツを取得するために必要な認証情報を、ユーザが所持する端末装置を介して取得する認証情報取得ステップと、
上記認証情報に基づき、上記コンテンツ提供サーバにアクセスするためのアクセス権限を上記コンテンツ提供サーバから取得するアクセス権限取得ステップと、
上記コンテンツ再生装置の再生機能の終了を検出する再生機能終了検出ステップとを含み、
上記アクセス権限が取得されたあと、上記再生機能終了検出ステップにおいて上記再生機能の終了を検出した場合、上記アクセス権限を無効化するアクセス権限無効化ステップとを含んでいることを特徴とするコンテンツ配信方法。
【請求項１９】
自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバのコンテンツ配信方法であって、
上記コンテンツ提供サーバにアクセスして上記コンテンツを取得するために必要な認証情報を、ユーザが所持する端末装置を介して取得する認証情報取得ステップと、
上記認証情報に基づき、上記コンテンツ提供サーバにアクセスするためのアクセス権限を上記コンテンツ提供サーバから取得するアクセス権限取得ステップと、
上記コンテンツ再生装置におけるコンテンツの再生状況を検出する再生状況検出ステップとを含み、
上記アクセス権限が取得されたあと、上記再生状況に応じて定まる時間が経過した場合、上記アクセス権限を無効化するアクセス権限無効化ステップとを含んでいることを特徴とするコンテンツ配信方法。
【請求項２０】
自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバのコンテンツ配信方法であって、
上記コンテンツ提供サーバにアクセスして上記コンテンツを取得するために必要な認証情報を、ユーザが所持する端末装置を介して取得する認証情報取得ステップと、
上記認証情報に基づき、上記コンテンツ提供サーバにアクセスするためのアクセス権限を上記コンテンツ提供サーバから取得するアクセス権限取得ステップとを含み、
上記アクセス権限が取得されたあと、自機とは異なる外部コンテンツ配信サーバが上記端末装置を介して取得した上記認証情報を用いて上記アクセス権限を上記コンテンツ提供サーバから取得した場合、上記アクセス権限を無効化するアクセス権限無効化ステップとを含んでいることを特徴とするコンテンツ配信方法。
【請求項２１】
自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバのコンテンツ配信方法であって、
上記コンテンツ提供サーバにアクセスして上記コンテンツを取得するために必要な認証情報を、ユーザが所持する端末装置を介して取得する認証情報取得ステップと、
上記認証情報に基づき、上記コンテンツ提供サーバにアクセスするためのアクセス権限を上記コンテンツ提供サーバから取得するアクセス権限取得ステップと、
上記コンテンツ再生装置の電源断を検出する電源断検出ステップとを備え、
上記アクセス権限が取得されたあと、上記コンテンツ再生装置の電源断が検出された場合、上記アクセス権限を無効化するアクセス権限無効化ステップとを含んでいることを特徴とするコンテンツ配信方法。
【請求項２２】
請求の範囲第１項〜第１０項のいずれか１項に記載の上記コンテンツ配信サーバからの要求に応じて、上記アクセス権限を無効化するコンテンツ配信サーバアクセス権限無効化ステップを含んでいることを特徴とするコンテンツ提供方法。
【請求項２３】
請求の範囲第１項〜第１０項のいずれか１項に記載のコンテンツ配信サーバを動作させる制御プログラムであって、コンピュータを上記の各手段として機能させるための制御プログラム。
【請求項２４】
請求の範囲第１１項または第１２項に記載のコンテンツ提供サーバを動作させる制御プログラムであって、コンピュータを上記の各手段として機能させるための制御プログラム。
【請求項２５】
請求項２３または請求の範囲第２４項に記載の制御プログラムを記録しているコンピュータ読み取り可能な記録媒体。
【発明の詳細な説明】
【技術分野】
【０００１】
本発明は、コンテンツ提供サーバの管理下にあるコンテンツを、自機の管理下にあるコンテンツ再生装置に配信するためのコンテンツ配信サーバ、コンテンツ提供サーバ、コンテンツ配信システム、コンテンツ配信方法、コンテンツ提供方法、端末装置、制御プログラム、およびコンピュータ読み取り可能な記録媒体に関するものである。
【背景技術】
【０００２】
家庭内のＨＤＤレコーダなどで録りためた番組や、ＰＣ（Ｐｅｒｓｏｎａｌ  Ｃｏｍｐｕｔｅｒ）内に蓄積されたデジカメ写真などを、家庭内のどのテレビからでも見られるようにすることは、ホームネットワーク技術の基本的な達成目標であり、ロケーションフリー（Ｌｏｃａｔｉｏｎ  Ｆｒｅｅ）というキーワードで説明されることが多い。また、ＤＬＮＡ（Ｄｉｇｉｔａｌ  Ｌｉｖｉｎｇ  Ｎｅｔｗｏｒｋ  Ａｌｌｉａｎｃｅ）といった標準規格も整備されつつあり、各社からＤＬＮＡ対応端末の販売も行われている。【０００３】
ＤＬＮＡでは、ＤＭＳ（Ｄｉｇｉｔａｌ  Ｍｅｄｉａ  Ｓｅｒｖｅｒ）と呼ばれるメディアサーバに蓄積された動画や静止画、音声などからなるコンテンツの中から、ＤＭＰ（Ｄｉｇｉｔａｌ  Ｍｅｄｉａ  Ｐｌａｙｅｒ）と呼ばれるプレーヤによって、所望のコンテンツを指定し、指定されたコンテンツを再生することが可能となる。ＤＭＰとしては、通常テレビやＰＣ、オーディオ機器などが選択される。【０００４】
図１７は、ＤＬＮＡを用いたホームネットワークのネットワーク構成図である。【０００５】
図１７に示したように、ホームネットワーク（以下、ＨＮＷと略記する）１７０１は、メディアサーバ（以下、ＤＭＳと略記する）１７０３、プレーヤ（以下、ＤＭＰと略記する）１７０６を含んで構成されている。図１７においては、ＤＭＰ１７０６、ＤＭＳ１７０３は、それぞれ１つずつしか描かれていないが、これらは複数ずつあってもかまわない。【０００６】
図１８は、ＤＬＮＡに基づく従来のコンテンツ再生手順を示すシーケンス図である。【０００７】
ＤＭＰ１７０６、ＤＭＳ１７０３は、互いにホームネットワークで接続されており、ＵＰｎＰのプロトコルにしたがって相互に発見する（Ｓ１８０１）。ＤＭＰ１７０６上のディスプレイでは、発見されたＤＭＳ１７０３を確認することができる。ユーザが利用するＤＭＳ１７０３を選択すると、ＤＭＰ１７０６は指定されたＤＭＳ１７０３に対し、該ＤＭＳ１７０３で管理しているコンテンツリストの要求を行う（Ｓ１８０２）。ＤＭＳ１７０３からコンテンツリストの供給を受けると（Ｓ１８０３）、ＤＭＳ内のコンテンツ一覧がＤＭＰ１７０６上のディスプレイに表示される。コンテンツ一覧において、コンテンツは通常メディアの種類ごとにフォルダに分類されて表示される。ユーザはＤＭＰ１７０６上で視聴したいコンテンツを選択し（Ｓ１８０４）、指定のコンテンツの配信をＤＭＳ１７０３に対して要求し（Ｓ１８０５）、ＤＭＳ１７０３からのコンテンツ配信を受けて（Ｓ１８０６）、コンテンツの再生を行う（Ｓ１８０７）。コンテンツが動画などの大きなサイズである場合には、通常、ＤＭＳ１７０３からコンテンツを受信しながら、ストリーミング再生を行う。【０００８】
ＤＬＮＡを用いることにより、家庭内の任意のＤＭＳに蓄積されているコンテンツを、家庭内の任意のＤＭＰにおいて視聴することが可能となる。【０００９】
しかし、ＤＬＮＡはあくまで宅内に構成されるホームネットワーク用の規格であり、たとえば自宅のＤＭＳに蓄積されているコンテンツを、別宅のＤＭＰで視聴するということはできなかった。自宅と別宅を包括するようなホームネットワークを設定すれば、ＤＬＮＡをそのまま利用することもできるが、そのようなネットワークを常時有効にしておくことは現実的ではないし、必要に応じてそのようなネットワークを設定するにしても、２つのネットワークを選択し、セキュアに結びつけるための手段が必要になる。【００１０】
自宅で視聴可能なコンテンツを、自宅外で視聴するために利用可能な技術としては、特許文献１、および、特許文献２に記載の技術が知られている。【００１１】
特許文献１には、利用者が自宅のホームサーバに蓄積したコンテンツを外出先の携帯端末で視聴することを可能にするコンテンツ配信システムが開示されている。【００１２】
図１９は、特許文献１に記載のコンテンツ配信システムの構成を示すシステム構成図である。図１９に示すコンテンツ配信システムにおいて、利用者は、放送されたコンテンツをホームサーバ１９０９で受信して、蓄積部１９０７に蓄積しておく。この蓄積されたコンテンツを携帯端末１９１０へ配信することを利用者が希望するときには、携帯端末１９１０から認証データをホームサーバ１９０９に送信し、携帯端末１９１０が利用者によって登録されたものであることをホームサーバ１９０９が確認する。この確認が行われると、ホームサーバ１９０９は蓄積部１９０７に蓄積されているコンテンツの中から、利用者によって指定された対象コンテンツを携帯端末１９１０に配信する。【００１３】
一方、特許文献２には、家庭での番組視聴環境と同一の環境を旅先のホテル等の宿泊施設においても構築することのできるコンテンツ配信システムが開示されている。特許文献２に記載の技術は、鍵情報の照合によってスクランブルを解除し、コンテンツを視聴できるようにする配信システムにおいて、鍵情報を携帯端末から送信するものである。これにより、携帯端末さえ持っていれば、自分の家に居る時はもちろん、ホテル等の宿泊施設に滞在している時にもスクランブルを解除でき、コンテンツを視聴できる。【００１４】
また、別宅内で自宅内にあるコンテンツを視聴するという状況においては、いつまでも別宅内から自宅内のコンテンツへのアクセスが可能であると様々な問題が発生する可能性がある。例えば、他人により自宅内のコンテンツへアクセスされるなどのユーザの意図しない形でアクセスされる場合や、個人利用の範囲で利用が許されるコンテンツの条件を逸脱したようなコンテンツの使用が行われる可能性もある。【００１５】
そのため、これらの問題が発生するのを防ぐために、適切な契機で自宅の外から自宅内のコンテンツを視聴できないようにする、すなわち、自宅内のコンテンツに対するアクセス権限を無効化することが必要となる。適切な契機でアクセス権限を無効化するための技術としては、特許文献３に記載の技術が知られている。【００１６】
特許文献３に記載の技術によれば、通信ネットワーク上にあるサービス提供サーバによって提供されるサービスをホスト装置との接続を介してユーザ端末から利用するサービス提供システムにおいて、ユーザ端末とホスト装置間の接続が失われたことを契機として認証状態を無効にすることができる。つまり、ユーザの手をわずらわせることなく、適切な契機で、サービス提供サーバに対するアクセス権限を無効化することを可能とする。
【特許文献１】日本国公開特許公報「特開２００３−  ３７８０２（公開日：平成１５年  ２月  ７日）
【特許文献２】日本国公開特許公報「特開２００１−３４５７６６（公開日：平成１３年１２月１４日）
【特許文献３】日本国公開特許公報「特開２００５−  ９９９８０（公開日：平成１７年  ４月１４日）
【発明の開示】
【００１７】
しかしながら、上記従来の構成では、自宅内のサーバに蓄積されたコンテンツを、別宅内のテレビ等の再生端末で視聴することは不可能であった。
【００１８】
上記課題についてもう少し詳しく説明すれば以下の通りである。
【００１９】
特許文献１に記載の技術においては、自宅内のコンテンツを携帯端末で視聴できるに過ぎず、別宅内のテレビで視聴するということはできない。つまり、たとえ、大画面のテレビが別宅内にあったとしても、それを利用してコンテンツを再生することはできず、利用者は携帯電話の小さな画面でコンテンツを視聴するしかない。
【００２０】
特許文献２に記載の技術によれば、ホテル等の宿泊施設においてテレビが利用可能であれば、そのテレビを利用してコンテンツを視聴することができる。しかし、当該技術が対象としているコンテンツは、特定のコンテンツプロバイダから直接配信されるコンテンツに限定されており、家庭内のホームサーバにいったん蓄積されたコンテンツの配信を対象としていない。家庭内で録画したＴＶ番組を遠隔地のテレビで見ようと思っても、見ようとする番組が特定のコンテンツプロバイダから配信されているものでなければ、視聴することはできない。
【００２１】
自宅内のサーバに蓄積されたコンテンツを、別宅内のテレビ等の再生端末で視聴するためには、少なくとも、自宅と別宅とを何らかの手段で接続する必要がある。しかも、来客Ａに対してはＡの自宅に、来客Ｂに対してはＢの自宅に、というように、再生端末が接続する接続先をユーザごとに変化させる必要がある。
【００２２】
ところが、特許文献２に記載の技術において、再生端末であるテレビは、予め定められた特定のサーバにアクセスするものである。すなわち、ユーザに応じて変化するユーザの自宅内のサーバに蓄積されたコンテンツを再生できるものではない。
【００２３】
また、自宅内のサーバに蓄積されたコンテンツを、別宅内のテレビ等の再生端末で視聴するということは、自宅内のサーバ側からみると、ユーザが別宅Ｃを訪れたときには別宅Ｃからの、また、別宅Ｄを訪れときには別宅Ｄからのアクセスを受けるということを意味する。すなわち、予め特定されていない再生端末からアクセスに対して、如何に認証を与えるかという問題も生じる。
【００２４】
これに対し、先行文献１のシステムでは、携帯端末からコンテンツ配信システムにアクセスし、アクセス端末である携帯端末でコンテンツを視聴する。携帯端末はコンテンツ配信システムの場所を知っており、コンテンツ配信システムは、アクセス端末である携帯端末を認証しさえすればよいだけである。
【００２５】
同様に、先行文献２のシステムにおいては、テレビなどの再生端末からコンテンツ配信システムにアクセスし、アクセス端末であるテレビにてコンテンツを視聴することができる。テレビは予め特定されているコンテンツ配信システムの場所を知っており、コンテンツ配信システムは、やはりアクセス端末であるテレビを認証しさえすればよい。
【００２６】
自宅内のサーバにとって、先行文献１のようにアクセス相手が常にユーザの携帯端末なら問題ないが、アクセス相手が別宅のテレビとなると、本当にその相手にコンテンツを配信してよいのかどうかを判別する必要が生じる。
【００２７】
さらに、一度自宅にあるコンテンツへのアクセスが可能になった後、いつまでもアクセス可能な状態になっていると、別宅からユーザの意図しない形でアクセスされる可能性があり問題となる。これに対して、先行文献３のシステムによれば、認証を行った機器間の接続が切断されたことを契機に自宅にあるコンテンツに対するアクセス権限を無効化できるため、いつまでもアクセス可能な状態となることを防ぐことができる。
【００２８】
しかしながら、別宅から自宅内へのアクセスにおいては、認証を行った機器以外の機器が自宅内にあるコンテンツに対してアクセスすることが考えられるため、先行文献３に記載されているシステムのように、単純に認証を行った機器間の接続が切断されたことを契機として上記アクセス権限を無効化する場合、さまざまな支障をきたす。
【００２９】
例えば、自宅ネットワークにおけるゲートウェイとしてのホームサーバと別宅ネットワークにおけるゲートウェイとしての外部サーバとを介して、別宅にあるコンテンツ再生端末から自宅内にあるコンテンツを格納するコンテンツサーバに対してアクセスする場合、外部サーバからホームサーバへのアクセスについて、携帯端末を用いて認証を行う構成が考えられるが、先行文献３のシステムを適用した場合、携帯端末とホームサーバとの接続が切断されたときに、別宅にあるコンテンツ再生端末から自宅にあるコンテンツに対してアクセスができなくなってしまう。つまり、別宅にあるコンテンツ再生装置によって自宅のコンテンツを再生している最中であっても、携帯端末とホームサーバとの接続が切断されれば、自宅にあるコンテンツに対するアクセス権限が無効化され、コンテンツの再生を継続できなくなってしまう。
【００３０】
また、別宅のコンテンツ再生端末から自宅のコンテンツサーバに対する継続的な通信状態としての接続が切断されたときにアクセス権限を無効化する構成も考えられるが、例えば、ＤＬＮＡにおいては、ＴＣＰ／ＩＰでの接続になるため、プレーヤの使用状況によっては、コンテンツの再生中に一時停止するなど、別宅の機器から自宅のコンテンツに対するアクセスの途中に上記接続が一時的に切れることもありうる。このとき、アクセス権限が無効化されてしまうと、一時停止を解除して再生を試みたときに、再び認証をやり直さなければならなくなる。
【００３１】
本発明は、上記の課題に鑑みてなされたものであり、その目的は、自宅内にあるサーバ等に蓄積されたコンテンツを、別宅内にあるテレビ等の再生端末によって視聴でき、さらに適切な契機で自宅内のネットワーク上にあるコンテンツに対してアクセスできないようにする仕組みを実現するためのコンテンツ配信サーバ、コンテンツ提供サーバ、コンテンツ配信システム、コンテンツ配信方法、コンテンツ提供方法、端末装置、制御プログラム、およびコンピュータ読み取り可能な記録媒体を提供することにある。
【００３２】
本発明に係るコンテンツ配信サーバは、自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバであって、上記コンテンツ提供サーバにアクセスして上記コンテンツを取得するために必要な認証情報を、ユーザが所持する端末装置を介して取得する認証情報取得手段と、上記認証情報に基づき、上記コンテンツ提供サーバにアクセスするためのアクセス権限を上記コンテンツ提供サーバから取得するアクセス権限取得手段とを備え、上記アクセス権限が取得されたあと、上記端末装置と通信できなくなった場合、上記アクセス権限を無効化するアクセス権限無効化手段とを備えていることを特徴としている。
【００３３】
上記の構成によれば、本発明に係るコンテンツ配信サーバは、コンテンツ提供サーバの管理下にあるコンテンツを、自機の管理下にあるコンテンツ再生装置に配信する。つまり、コンテンツ配信サーバは、コンテンツ提供サーバに対してアクセスする。
【００３４】
なお、コンテンツ提供サーバによって管理されるコンテンツとは、コンテンツ提供サーバの属するネットワークに接続されている機器に格納され、ユーザが視聴可能な動画、音楽、画像などの各種のコンテンツであり、特に限定はされない。また、コンテンツ再生装置としては、例えば、テレビやＰＣ、オーディオ機器などがあるが、上記の各種のコンテンツを再生するための各種の機器であり、特に限定はされない。
【００３５】
また、上記の構成によれば、コンテンツ配信サーバでは、認証情報取得手段が、上記コンテンツ提供サーバによって発行される上記認証情報を、ユーザが所持する上記端末装置を介して取得する。認証情報とは、コンテンツ提供サーバに対するアクセス権限を証明する情報であり、例えば、コンテンツ提供サーバにアクセスするためのパスワードがある。
【００３６】
また、上記の構成によれば、コンテンツ配信サーバでは、アクセス権限取得手段がコンテンツ提供サーバにアクセスするためのアクセス権限をコンテンツ提供サーバから取得する。なお、アクセス権限の管理については、例えば、次のような構成がある。コンテンツ提供サーバは、コンテンツ配信サーバからアクセスがあった場合、現在、コンテンツ配信サーバからのアクセスを許可している状態か否かを確認し、上記アクセスを許可していない状態であれば、そもそもコンテンツ配信サーバがアクセス権限を有しているか否かを確認する認証を行う。この認証において、コンテンツ配信サーバは、コンテンツ提供サーバに対して認証情報を提示することによって、コンテンツ提供サーバに対するアクセス権限を有していることを証明し、コンテンツ提供サーバからアクセスを許可される。これにより、コンテンツ配信サーバは、コンテンツ提供サーバから、コンテンツやコンテンツリストなどの提供を受けることができるようになる。つまり、アクセス権限取得手段がコンテンツ提供サーバからアクセス権限を取得したことになる。
【００３７】
また、上記の構成によれば、コンテンツ配信サーバでは、上記コンテンツ提供サーバからアクセスを許可されている場合、すなわち、上記アクセス権限を取得している場合に、上記端末装置の存在を認識できなくなったとき、すなわち、上記端末装置と通信できなくなったときに、アクセス権限無効化手段が、上記アクセス権限を無効化する。
【００３８】
アクセス権限の無効化は、例えば、コンテンツ提供サーバにおいて、コンテンツ配信サーバからのアクセスを許可するか否かを決定することを表すアクセス可否情報を保持しておき、コンテンツ配信サーバからのアクセスがあった場合に、アクセス可否情報を参照してアクセスの可否を判定する構成の場合、上記アクセス可否情報がアクセスを許可しないことを表すように設定することによって実現できる。この場合、コンテンツ配信サーバは、コンテンツ提供サーバに対して、自機からのアクセスを許可しないことを要求し、コンテンツ提供サーバは、取得した要求に応じてアクセス可否情報を設定とする。
【００３９】
他にも、例えば、コンテンツ配信サーバにおいて、コンテンツ配信サーバの管理下にあるコンテンツ再生装置からコンテンツの再生要求（コンテンツ要求）を受けた場合にコンテンツ提供サーバに対してコンテンツ要求を送信することを許可するか否かを表すコンテンツ要求可否情報を保持しておき、コンテンツ再生装置からコンテンツ要求があった場合に、コンテンツ要求可否情報を参照してコンテンツ再生装置からのコンテンツ要求をコンテンツ提供サーバへ送信することの可否を判定する構成の場合、上記コンテンツ要求可否情報を、コンテンツ要求の送信を許可しないことを表すように設定することによっても、アクセス権限の無効化を実現することができ、特に限定はされない。
【００４０】
なお、上記端末装置の存在を認識する方法としては、例えば、端末装置がコンテンツ配信サーバの属するネットワークに接続されている場合には、端末装置に対してＰｉｎｇメッセージを送信して、応答が返ってくるか否かによって、端末装置の存在を確認できる。あるいは、端末装置が電波を発している場合には、該電波を検出することによって存在を確認することもでき、特に限定はされない。
【００４１】
つまり、上記の構成によれば、上記端末装置の存在が確認できなくなったことを契機として、コンテンツ配信サーバからコンテンツ提供サーバに対するアクセスが許可されなくなる、すなわち、アクセス権限が無効化される。
【００４２】
これにより、例えば、自宅にコンテンツ提供サーバ、別宅にコンテンツ配信サーバが設置されている場合、自宅にあるコンテンツ提供サーバの管理下のコンテンツを、該コンテンツの所有者であるユーザが別宅にあるコンテンツ配信サーバの管理下のコンテンツ再生装置で視聴した後、上記ユーザが別宅を離れたときに、コンテンツ配信サーバは上記ユーザが携帯する端末装置を認識できなくなるため、コンテンツ配信サーバからコンテンツ提供サーバへのアクセスは許可されなくなる。したがって、自宅のコンテンツに対して上記ユーザの意図しない外部からのアクセスを防止することができるようになる。
【００４３】
本発明に係るコンテンツ配信方法は、自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバのコンテンツ配信方法であって、上記コンテンツ提供サーバにアクセスして上記コンテンツを取得するために必要な認証情報を、ユーザが所持する端末装置を介して取得する認証情報取得ステップと、上記認証情報に基づき、上記コンテンツ提供サーバにアクセスするためのアクセス権限を上記コンテンツ提供サーバから取得するアクセス権限取得ステップとを含み、上記アクセス権限が取得されたあと、上記端末装置と通信できなくなった場合、上記アクセス権限を無効化するアクセス権限無効化ステップとを含んでいることを特徴としている。
【００４４】
上記の構成によれば、本発明に係るコンテンツ配信サーバと同様の作用効果を奏する。
【００４５】
また、本発明に係るコンテンツ配信サーバは、自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバであって、上記コンテンツ提供サーバにアクセスして上記コンテンツを取得するために必要な認証情報を、ユーザが所持する端末装置を介して取得する認証情報取得手段と、上記認証情報に基づき、上記コンテンツ提供サーバにアクセスするためのアクセス権限を上記コンテンツ提供サーバから取得するアクセス権限取得手段とを備え、上記アクセス権限が取得されたあと、上記アクセス権限を取得してから経過した期間が、上記ユーザによって設定される上記アクセス権限の有効期間を超えた場合、上記アクセス権限を無効化するアクセス権限無効化手段とを備えていることを特徴としている。
【００４６】
上記の構成によれば、コンテンツ配信サーバでは、上記コンテンツ提供サーバからアクセスを許可されている場合に、すなわち、上記アクセス権限を取得している場合に、上記アクセスが許可されてから経過した期間、すなわち、アクセス権限を取得してから経過した期間が、ユーザによって設定される上記アクセスが許可されるアクセス権限の有効期間を超えたときに、アクセス権限無効化手段が上記アクセス権限を無効化する。
【００４７】
これにより、コンテンツ提供サーバは、以後コンテンツン配信サーバからのアクセスを許可せず、例えば、コンテンツ配信サーバからコンテンツやコンテンツリストの取得要求があっても、コンテンツ提供サーバはそれらを提供しない。
【００４８】
なお、上記アクセス権限の有効期間については、例えば、ユーザが上記端末装置に入力して、コンテンツ配信サーバに送信することによって、コンテンツ配信装置に設定することや、コンテンツ配信サーバのコントローラを操作して直接入力してもよく、特に限定はされない。
【００４９】
つまり、上記の構成によれば、アクセスが許可されてからアクセス権限の有効期間が経過したことを契機として、コンテンツ配信サーバからコンテンツ提供サーバに対するアクセスが許可されなくなる、すなわち、アクセス権限が無効化される。
【００５０】
これにより、例えば、自宅にコンテンツ提供サーバ、別宅にコンテンツ配信サーバが設置されている場合、自宅にあるコンテンツ提供サーバの管理下のコンテンツを、該コンテンツの所有者であるユーザが別宅にあるコンテンツ配信サーバの管理下のコンテンツ再生装置で視聴した場合、アクセス権限の有効期間が経過すればコンテンツ配信サーバからコンテンツ提供サーバへのアクセスは許可されなくなる。したがって、自宅のコンテンツに対して上記ユーザの意図しない外部からのアクセスを防止することができるようになる。
【００５１】
本発明に係るコンテンツ配信方法は、自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバのコンテンツ配信方法であって、上記コンテンツ提供サーバにアクセスして上記コンテンツを取得するために必要な認証情報を、ユーザが所持する端末装置を介して取得する認証情報取得ステップと、上記認証情報に基づき、上記コンテンツ提供サーバにアクセスするためのアクセス権限を上記コンテンツ提供サーバから取得するアクセス権限取得ステップとを含み、上記アクセス権限が取得されたあと、上記アクセス権限を取得してから経過した期間が、上記ユーザによって設定される上記アクセス権限の有効期間を超えた場合、上記アクセス権限を無効化するアクセス権限無効化ステップとを含んでいることを特徴としている。
【００５２】
上記の構成によれば、本発明に係るコンテンツ配信サーバと同様の作用効果を奏する。
【００５３】
また、本発明に係るコンテンツ配信サーバは、自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバであって、上記コンテンツ提供サーバにアクセスして上記コンテンツを取得するために必要な認証情報を、ユーザが所持する端末装置を介して取得する認証情報取得手段と、上記認証情報に基づき、上記コンテンツ提供サーバにアクセスするためのアクセス権限を上記コンテンツ提供サーバから取得するアクセス権限取得手段と、上記コンテンツ再生装置の再生機能の終了を検出する再生機能終了検出手段とを備え、上記アクセス権限が取得されたあと、上記再生機能終了検出手段が上記再生機能の終了を検出した場合、上記アクセス権限を無効化するアクセス権限無効化手段とを備えていることを特徴としている。
【００５４】
上記の構成によれば、コンテンツ配信サーバでは、再生機能終了手段がコンテンツ再生装置の再生機能の終了を検出する。そして、上記コンテンツ提供サーバからアクセスを許可されている場合に、すなわち、上記アクセス権限を取得している場合に、再生機能終了検出手段が上記再生機能の終了を検出したとき、アクセス権限無効化手段が、上記アクセス権限を無効化する。これにより、コンテンツ提供サーバは、以後コンテンツン配信サーバからのアクセスを許可せず、例えば、コンテンツ配信サーバからコンテンツやコンテンツリストの取得要求があっても、コンテンツ提供サーバはそれらを提供しない。
【００５５】
なお、コンテンツ再生装置を終了するとは、コンテンツ再生装置の電源を落とす以外に、コンテンツ再生装置において上記コンテンツの再生を制御するアプリケーションを終了することも含まれる。さらに、コンテンツ再生装置が上記コンテンツの再生以外の機能を備えている場合に、コンテンツ再生からコンテンツ再生以外の機能に切り替えられた場合など、コンテンツ再生装置においてコンテンツ再生の機能が利用されなくなった状況であればコンテンツ再生装置を終了することに含まれ、特に限定はされない。
【００５６】
つまり、上記の構成によれば、コンテンツ再生装置においてコンテンツ再生装置の機能が利用されなくなったことを契機として、コンテンツ配信サーバからコンテンツ提供サーバに対するアクセスが許可されなくなる、すなわち、アクセス権限が無効化される。
【００５７】
これにより、例えば、自宅にコンテンツ提供サーバ、別宅にコンテンツ配信サーバが設置されている場合、自宅にあるコンテンツ提供サーバの管理下のコンテンツを、該コンテンツの所有者であるユーザが別宅にあるコンテンツ配信サーバの管理下のコンテンツ再生装置で視聴した場合、コンテンツ再生装置においてコンテンツ再生機能が終了されると、コンテンツ配信サーバからコンテンツ提供サーバへのアクセスは許可されなくなる。したがって、自宅のコンテンツに対して上記ユーザの意図しない外部からのアクセスを防止することができるようになる。
【００５８】
本発明に係るコンテンツ配信方法は、自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバのコンテンツ配信方法であって、上記コンテンツ提供サーバにアクセスして上記コンテンツを取得するために必要な認証情報を、ユーザが所持する端末装置を介して取得する認証情報取得ステップと、上記認証情報に基づき、上記コンテンツ提供サーバにアクセスするためのアクセス権限を上記コンテンツ提供サーバから取得するアクセス権限取得ステップと、上記コンテンツ再生装置の再生機能の終了を検出する再生機能終了検出ステップとを含み、上記アクセス権限が取得されたあと、上記再生機能終了検出ステップにおいて上記再生機能の終了を検出した場合、上記アクセス権限を無効化するアクセス権限無効化ステップとを含んでいることを特徴としている。
【００５９】
上記の構成によれば、本発明に係るコンテンツ配信サーバと同様の作用効果を奏する。
【００６０】
また、本発明に係るコンテンツ配信サーバは、自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバであって、上記コンテンツ提供サーバにアクセスして上記コンテンツを取得するために必要な認証情報を、ユーザが所持する端末装置を介して取得する認証情報取得手段と、上記認証情報に基づき、上記コンテンツ提供サーバにアクセスするためのアクセス権限を上記コンテンツ提供サーバから取得するアクセス権限取得手段と、上記コンテンツ再生装置におけるコンテンツの再生状況を検出する再生状況検出手段とを備え、上記アクセス権限が取得されたあと、上記再生状況に応じて定まる時間が経過した場合、上記アクセス権限を無効化するアクセス権限無効化手段とを備えていることを特徴としている。
【００６１】
上記の構成によれば、コンテンツ配信サーバでは、再生状況検出手段が、上記コンテンツ再生装置の再生状況を検出する。そして、上記コンテンツ提供サーバからアクセスを許可されている場合に、すなわち、上記アクセス権限を取得している場合に、再生状況検出手段によって検出されたコンテンツ再生装置におけるコンテンツの再生に関する状況に応じて定まる時間、すなわち、上記再生状況に応じて設定される上記アクセス権限の有効期間を経過したときに、アクセス権限無効化手段が、上記アクセス権限を無効化する。これにより、コンテンツ提供サーバは、以後コンテンツン配信サーバからのアクセスを許可せず、コンテンツ配信サーバからコンテンツやコンテンツリストの取得要求があっても、コンテンツ提供サーバはそれらを提供しない。
【００６２】
なお、上記コンテンツの再生に関する状況とは、コンテンツの再生開始、再生停止、一時停止などのほかコンテンツ再生前のコンテンツ選択中なども含まれ、コンテンツの再生に関連する状況であればよく、特に限定されない。そして、コンテンツの再生を開始した直後であれば、上記時間を長めに設定したり、コンテンツを最後まで再生して停止した場合には上記時間を短めに設定したりするなど、上記時間は、コンテンツの再生状況に応じて定められる。
【００６３】
つまり、上記の構成によれば、上記コンテンツの再生に関する状況に応じてアクセス可能な有効期限が設定され、その有効期限が切れたことを契機として、コンテンツ配信サーバからコンテンツ提供サーバに対するアクセスが許可されなくなる、すなわち、アクセス権限が無効化される。
【００６４】
これにより、例えば、自宅にコンテンツ提供サーバ、別宅にコンテンツ配信サーバが設置されている場合、自宅にあるコンテンツ提供サーバの管理下のコンテンツを、該コンテンツの所有者であるユーザが別宅にあるコンテンツ配信サーバの管理下のコンテンツ再生装置で視聴した場合、上記コンテンツの再生に関する状況に応じて設定された有効期限が切れたときに、コンテンツ配信サーバからコンテンツ提供サーバへのアクセスは許可されなくなる。したがって、自宅のコンテンツに対して上記ユーザの意図しない外部からのアクセスを防止することができるようになる。
【００６５】
本発明に係るコンテンツ配信方法は、自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバのコンテンツ配信方法であって、上記コンテンツ提供サーバにアクセスして上記コンテンツを取得するために必要な認証情報を、ユーザが所持する端末装置を介して取得する認証情報取得ステップと、上記認証情報に基づき、上記コンテンツ提供サーバにアクセスするためのアクセス権限を上記コンテンツ提供サーバから取得するアクセス権限取得ステップと、上記コンテンツ再生装置におけるコンテンツの再生状況を検出する再生状況検出ステップとを含み、上記アクセス権限が取得されたあと、上記再生状況に応じて定まる時間が経過した場合、上記アクセス権限を無効化するアクセス権限無効化ステップとを含んでいることを特徴としている。
【００６６】
上記の構成によれば、本発明に係るコンテンツ配信サーバと同様の作用効果を奏する。
【００６７】
また、本発明に係るコンテンツ配信サーバは、自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバであって、上記コンテンツ提供サーバにアクセスして上記コンテンツを取得するために必要な認証情報を、ユーザが所持する端末装置を介して取得する認証情報取得手段と、上記認証情報に基づき、上記コンテンツ提供サーバにアクセスするためのアクセス権限を上記コンテンツ提供サーバから取得するアクセス権限取得手段とを備え、上記アクセス権限が取得されたあと、自機とは異なる外部コンテンツ配信サーバが上記端末装置を介して取得した上記認証情報を用いて上記アクセス権限を上記コンテンツ提供サーバから取得した場合、上記アクセス権限を無効化するアクセス権限無効化手段とを備えていることを特徴としている。
【００６８】
上記の構成によれば、コンテンツ配信サーバは、上記コンテンツ提供サーバから上記コンテンツの提供を許可された場合に、すなわち、上記アクセス権限を取得している場合に、外部コンテンツ配信サーバがコンテンツ提供サーバに対するアクセスを許可されたときに、すなわち、外部コンテンツ配信サーバがコンテンツ提供サーバに対するアクセス権限を取得したとき、アクセス権限無効化手段が、上記アクセス権限を無効化する。
【００６９】
これにより、コンテンツ提供サーバは、以後上記外部コンテンツ配信サーバ以外からのアクセスを許可せず、例えば、コンテンツ配信サーバからコンテンツやコンテンツリストの取得要求があっても、コンテンツ提供サーバはそれらを提供しない。ここで、外部コンテンツ配信サーバとコンテンツ配信サーバとは、同一の端末装置を介して、コンテンツ提供サーバ特定情報および認証情報を取得し、コンテンツ提供サーバの認証を受けている。
【００７０】
つまり、上記の構成によれば、第１のコンテンツ配信サーバがコンテンツ提供サーバからアクセスを許可されている場合に、第２のコンテンツ配信サーバがコンテンツ提供サーバからアクセスを許可されたことを契機として、第１のコンテンツ配信サーバからコンテンツ提供サーバに対するアクセスが許可されなくなる、すなわち、アクセス権限が無効化される。第１のコンテンツ配信サーバと第２のコンテンツ配信サーバとは、同一の端末装置を介して、コンテンツ提供サーバ特定情報および認証情報を取得し、コンテンツ提供サーバの認証を受けている。
【００７１】
これにより、例えば、自宅にコンテンツ提供サーバ、第１の別宅にコンテンツ配信サーバ、第２の別宅に外部コンテンツ配信サーバが設置され、自宅にあるコンテンツ提供サーバの管理下のコンテンツを、該コンテンツの所有者であるユーザが第１の別宅にあるコンテンツ配信サーバの管理下のコンテンツ再生装置で視聴した後、上記ユーザが第１の別宅を離れ、今度は、第２の別宅において上記コンテンツを外部コンテンツ配信サーバの管理下のコンテンツ再生装置で視聴する場合、外部コンテンツ配信サーバがコンテンツ提供サーバからアクセスを許可されたときに、コンテンツ配信サーバからコンテンツ提供サーバへのアクセスは許可されなくなる。したがって、自宅のコンテンツに対して上記ユーザの意図しない外部からのアクセスを防止することができるようになる。
【００７２】
本発明に係るコンテンツ配信方法は、自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバのコンテンツ配信方法であって、上記コンテンツ提供サーバにアクセスして上記コンテンツを取得するために必要な認証情報を、ユーザが所持する端末装置を介して取得する認証情報取得ステップと、上記認証情報に基づき、上記コンテンツ提供サーバにアクセスするためのアクセス権限を上記コンテンツ提供サーバから取得するアクセス権限取得ステップとを含み、上記アクセス権限が取得されたあと、自機とは異なる外部コンテンツ配信サーバが上記端末装置を介して取得した上記認証情報を用いて上記アクセス権限を上記コンテンツ提供サーバから取得した場合、上記アクセス権限を無効化するアクセス権限無効化ステップとを含んでいることを特徴としている。
【００７３】
上記の構成によれば、本発明に係るコンテンツ配信サーバと同様の作用効果を奏する。
【００７４】
本発明に係るコンテンツ配信サーバは、自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバであって、上記コンテンツ提供サーバにアクセスして上記コンテンツを取得するために必要な認証情報を、ユーザが所持する端末装置を介して取得する認証情報取得手段と、上記認証情報に基づき、上記コンテンツ提供サーバにアクセスするためのアクセス権限を上記コンテンツ提供サーバから取得するアクセス権限取得手段と、上記コンテンツ再生装置の電源断を検出する電源断検出手段とを備え、上記アクセス権限が取得されたあと、上記コンテンツ再生装置の電源断が検出された場合、上記アクセス権限を無効化するアクセス権限無効化手段とを備えていることを特徴としている。
【００７５】
上記の構成によれば、電源断検出手段が上記コンテンツ再生装置の電源断を検出する。そして、上記コンテンツ提供サーバからアクセスを許可されている場合に、すなわち、上記アクセス権限を取得している場合に、電源断検出手段が上記コンテンツ再生装置の電源断を検出したとき、アクセス権限無効化手段が、上記アクセス権限を無効化する。これにより、コンテンツ提供サーバは、以後コンテンツン配信サーバからのアクセスを許可せず、例えば、コンテンツ配信サーバからコンテンツやコンテンツリストの取得要求があっても、コンテンツ提供サーバはそれらを提供しない。
【００７６】
これにより、例えば、自宅にコンテンツ提供サーバ、別宅にコンテンツ配信サーバが設置されている場合、自宅にあるコンテンツ提供サーバの管理下のコンテンツを、該コンテンツの所有者であるユーザが別宅にあるコンテンツ配信サーバの管理下のコンテンツ再生装置で視聴した場合、コンテンツ再生装置の電源が落とされると、コンテンツ配信サーバからコンテンツ提供サーバへのアクセスは許可されなくなる。したがって、自宅のコンテンツに対して上記ユーザの意図しない外部からのアクセスを防止することができるようになる。
【００７７】
本発明に係るコンテンツ配信方法は、自機が属するローカルネットワークの外部に存在するコンテンツ提供サーバによって管理されるコンテンツを、ローカルネットワーク内部に存在する、上記コンテンツを再生するコンテンツ再生装置に配信するコンテンツ配信サーバのコンテンツ配信方法であって、上記コンテンツ提供サーバにアクセスして上記コンテンツを取得するために必要な認証情報を、ユーザが所持する端末装置を介して取得する認証情報取得ステップと、上記認証情報に基づき、上記コンテンツ提供サーバにアクセスするためのアクセス権限を上記コンテンツ提供サーバから取得するアクセス権限取得ステップと、上記コンテンツ再生装置の電源断を検出する電源断検出ステップとを備え、上記アクセス権限が取得されたあと、上記コンテンツ再生装置の電源断が検出された場合、上記アクセス権限を無効化するアクセス権限無効化ステップとを含んでいることを特徴としている。
【００７８】
上記の構成によれば、本発明に係るコンテンツ配信サーバと同様の作用効果を奏する。
【００７９】
本発明に係るコンテンツ配信サーバでは、上記再生状況検出手段は、上記再生状況として、上記コンテンツ再生装置がコンテンツのリストを取得したことを検出することが好ましい。
【００８０】
上記の構成によれば、コンテンツ配信サーバでは、コンテンツ再生装置によってコンテンツのリストが取得されたことに応じて上記時間が定まる。これにより、コンテンツのリストが取得され、これからコンテンツの視聴が開始されるという状況に合わせてアクセス権限の有効期間を設定できる。
【００８１】
本発明に係るコンテンツ配信サーバでは、上記再生状況検出手段は、上記再生状況として、上記コンテンツ再生装置が再生中の上記コンテンツについて再生を一時的に停止したことを検出することが好ましい。
【００８２】
上記の構成によれば、コンテンツ配信サーバでは、コンテンツ再生装置においてあるコンテンツの再生の途中でコンテンツの再生を一時的に停止したことに応じて上記時間が定まる。これにより、あるコンテンツの再生途中で停止、すなわち、視聴が再開される可能性があるという状況に合わせて上記アクセス権限の有効期間を設定できる。
【００８３】
本発明に係るコンテンツ配信サーバでは、上記再生状況検出手段は、上記再生状況として、上記コンテンツ再生装置が再生中の上記コンテンツについて再生を最後まで終了したことを検出することが好ましい。
【００８４】
上記の構成によれば、コンテンツ配信サーバでは、コンテンツ再生装置においてあるコンテンツの再生が最後まで終了したことに応じて上記時間を設定する。これにより、あるコンテンツの再生が最後まで終了、すなわち、あるコンテンツの視聴が終了したという状況に合わせて上記アクセス権限の有効期間を設定できる。
【００８５】
本発明に係るコンテンツ配信サーバでは、上記再生状況検出手段は、上記再生状況として、上記コンテンツ再生装置が上記コンテンツ提供サーバによって管理される全ての上記コンテンツについて再生を終了したことを検出することが好ましい。
【００８６】
上記の構成によれば、コンテンツ配信サーバでは、上記コンテンツ再生装置が、上記コンテンツ提供サーバによって管理される全ての上記コンテンツについて再生を終了したことに応じた上記時間を設定する。これにより、上記コンテンツ提供サーバの管理下にある全てのコンテンツの再生が終了、すなわち、全てのコンテンツの視聴が終了し、他に視聴するコンテンツがないという状況に合わせて上記アクセス権限の有効期間を設定できる。
【００８７】
本発明に係るコンテンツ配信サーバでは、上記コンテンツを再生するコンテンツ再生装置を備えていることが好ましい。
【００８８】
上記の構成によれば、コンテンツ配信サーバは、上記コンテンツ再生装置と一体的に構成される。これにより、コンテンツ配信サーバは、コンテンツの再生状況、再生機能の終了状況等を容易に検出することができるようになる。さらに、機器の設置スペースを節約できると共に、ユーザによる機器の管理も容易になる。
【００８９】
本発明に係るコンテンツ提供サーバは、上記コンテンツ配信サーバが属するネットワークの外部に存在し、該コンテンツ配信サーバからの要求に応じて、上記アクセス権限を無効化するコンテンツ配信サーバアクセス権限無効化手段を備えていることを特徴としている。
【００９０】
上記の構成によれば、本発明に係るコンテンツ提供サーバでは、コンテンツ配信サーバアクセス権限無効化手段が、上記コンテンツ配信サーバからの要求に応じて、上記コンテンツ配信サーバからのアクセスを許可しなくなる、すなわち、アクセス権限を無効化する。つまり、コンテンツ配信サーバは、コンテンツ配信サーバ自身からのアクセスを許可しないことを要求するデータをコンテンツ提供サーバに対して送信し、コンテンツ提供サーバは、そのメッセージを受信したことを契機として、コンテンツ配信サーバからのアクセスを許可しない状態になる。そして、コンテンツ提供サーバは、コンテンツ配信サーバからのアクセスがあった場合、再度認証を行い、コンテンツ配信サーバのアクセス権限が証明されれば、コンテンツ配信サーバからのアクセスを許可する。コンテンツ配信サーバは、上記のデータを、適切な契機でコンテンツ提供サーバに対して送信する。
【００９１】
これにより、例えば、自宅にコンテンツ提供サーバ、別宅にコンテンツ配信サーバが設置されている場合、自宅にあるコンテンツ提供サーバの管理下のコンテンツを、該コンテンツの所有者であるユーザが別宅にあるコンテンツ配信サーバの管理下のコンテンツ再生装置で視聴した後、適切な契機でコンテンツ配信サーバからコンテンツ提供サーバへのアクセスは許可されなくなる。したがって、自宅のコンテンツに対して上記ユーザの意図しない外部からのアクセスを防止することができるようになる。
【００９２】
本発明に係るコンテンツ提供方法は、上記コンテンツ配信サーバからの要求に応じて、上記コンテンツ配信サーバからのアクセスを拒否するアクセス拒否ステップを含んでいることを特徴としている。
【００９３】
本発明に係るコンテンツ提供方法は、上記コンテンツ配信サーバからの要求に応じて、上記アクセス権限を無効化するコンテンツ配信サーバアクセス権限無効化ステップを含んでいることを特徴としている。
【００９４】
上記の構成によれば、本発明に係るコンテンツ配信サーバと同様の作用効果を奏する。
【００９５】
本発明に係るコンテンツ提供サーバでは、上記コンテンツ配信サーバアクセス権限無効化手段は、上記端末装置からの要求に応じて、上記アクセス権限を無効化することを特徴としている。
【００９６】
上記の構成によれば、コンテンツ提供サーバでは、上記コンテンツ配信サーバアクセス権限無効化手段が上記端末装置からの要求に応じて、上記コンテンツ配信サーバからのアクセスを許可しなくなる、すなわち、アクセス権限を無効化する。これにより、ユーザは端末装置を操作してコンテンツ提供サーバに対して、コンテンツ配信サーバからのアクセスを拒否することを要求するデータを送信する。したがって、ユーザは、上記端末装置を所持していれば、任意のタイミングにおいてコンテンツ提供サーバがコンテンツ配信サーバからのアクセスを許可しないようにする、すなわち、外部からの意図しないアクセスを防止することができる。
【００９７】
本発明に係る端末装置は、上記コンテンツ提供サーバから、上記認証情報を取得するコンテンツ提供サーバ認証情報取得手段と、上記コンテンツ提供サーバ認証情報取得手段によって取得した上記認証情報を上記コンテンツ配信サーバに提供するコンテンツ提供サーバ認証情報提供手段とを備えていることを特徴としている。
【００９８】
上記の構成によれば、端末装置では、コンテンツ提供サーバ認証情報取得手段が上記認証情報を取得し、コンテンツ提供サーバ認証情報提供手段が上記取得した認証情報をコンテンツ提供サーバに提供する。
【００９９】
これにより、例えば、自宅にコンテンツ提供サーバ、別宅にコンテンツ配信サーバが設置され、自宅にあるコンテンツ提供サーバの管理下のコンテンツを、該コンテンツの所有者であるユーザが別宅にあるコンテンツ配信サーバの管理下のコンテンツ再生装置で再生する場合、コンテンツ提供サーバによる認証において、コンテンツ配信サーバは端末装置から取得した認証情報を提示することによってアクセスが許可される。したがって、コンテンツ配信サーバはコンテンツ提供サーバから上記コンテンツの提供を受けてコンテンツ再生装置に配信することができるため、ユーザは上記コンテンツを視聴することが可能となる。
【０１００】
本発明に係るコンテンツ配信システムでは、上記コンテンツ配信サーバと、上記コンテンツ提供サーバと、上記端末装置と、上記コンテンツ配信サーバが属するローカルネットワークに属し、上記コンテンツ配信サーバによって配信される上記コンテンツを再生するコンテンツ再生装置とを含み、上記コンテンツ提供サーバは、上記コンテンツ配信サーバからの要求に応じて、上記コンテンツ配信サーバまたは上記外部コンテンツ配信サーバの上記アクセス権限を無効化することを特徴としている。
【０１０１】
上記の構成によれば、上記のコンテンツ配信システムは、上記コンテンツ配信サーバと上記コンテンツ提供サーバと、上記端末装置と、上記コンテンツ再生装置とを含んでいる。そして、上記の構成によれば、上記コンテンツ提供サーバは、上記コンテンツ配信サーバからの要求に応じて、上記コンテンツ配信サーバの上記アクセス権限を無効化する。コンテンツ配信サーバは、コンテンツ提供サーバに対して、適切なタイミングでコンテンツ配信サーバ自身からのアクセスを許可しないことを要求する。そして、コンテンツ提供サーバは、コンテンツ配信サーバからの上記要求を受けると、コンテンツ配信サーバからのアクセスを許可しなくなる。つまり、コンテンツ提供サーバは、適切な契機でコンテンツ配信サーバのアクセス権限を無効化する。
【０１０２】
これにより、例えば、自宅にコンテンツ提供サーバ、別宅にコンテンツ配信サーバが設置されている場合、自宅にあるコンテンツ提供サーバの管理下のコンテンツを、該コンテンツの所有者であるユーザが別宅にあるコンテンツ配信サーバの管理下のコンテンツ再生装置で視聴した後、適切な契機でコンテンツ配信サーバからコンテンツ提供サーバへのアクセスは許可されなくなる。したがって、自宅のコンテンツに対して上記ユーザの意図しない外部からのアクセスを防止することができるようになる。
【０１０３】
なお、コンテンツ配信サーバは、コンピュータによって実現してもよい。この場合、コンピュータを上記各手段として動作させることにより上記コンテンツ配信サーバをコンピュータにおいて実現する情報処理プログラム、およびその情報処理プログラムを記録したコンピュータ読み取り可能な記録媒体も、本発明の範疇に入る。
【０１０４】
また、上記コンテンツ提供サーバは、コンピュータによって実現してもよい。この場合、コンピュータを上記各手段として動作させることにより上記コンテンツ提供サーバをコンピュータにおいて実現する情報処理プログラム、およびその情報処理プログラムを記録したコンピュータ読み取り可能な記録媒体も、本発明の範疇に入る。
【０１０５】
本発明の他の目的、特徴、および優れた点は、以下に示す記載によって十分分かるであろう。また、本発明の利点は、添付図面を参照した次の説明で明白になるであろう。
【図面の簡単な説明】
【０１０６】
【図１】本発明の実施形態における本発明のコンテンツ配信システムの概略構成図である。
【図２】本発明の実施形態において、携帯端末を介して取得した認証情報を用いてフォーリンゲートウェイがホームゲートウェイに接続するまでの手順を示したシーケンス図である。
【図３】本発明の実施形態におけるコンテンツリストをプレーヤが取得する手順を示したシーケンス図である。
【図４】本発明の実施形態におけるプレーヤに表示される表示画面の例を示す図である。
【図５】本発明の実施形態における指定されたコンテンツを再生する手順を示すシーケンス図である。
【図６】本発明の実施の形態１におけるアクセス権限を無効化するまでの手順を示す図であり、（ａ）は携帯端末からの要求によってフォーリンゲートウェイのアクセス権限を無効化する手順を示すシーケンス図であり、（ｂ）はサービスプロバイダを通じてフォーリンゲートウェイのアクセス権限を無効化する手順を示すシーケンス図である。
【図７】本発明の実施の形態１におけるアクセス権限を無効化するまでの手順を示した図であり、（ａ）は携帯端末の有無に応じてフォーリンゲートウェイのアクセス権限を無効化する処理の流れを示すフローチャートであり、（ｂ）は携帯端末の移動に応じてサービスプロバイダを通じてフォーリンゲートウェイのアクセス権限を無効化する手順を示すシーケンス図である。
【図８】本発明の実施の形態１において、フォーリンゲートウェイがプレーヤの動作状況に応じてアクセス権限を無効化するまでの有効期間を設定する構成の場合に、アクセス権限を無効化する処理の流れを示すフローチャートである。
【図９】本発明の実施形態におけるフォーリンゲートウェイの要部構成を示す機能ブロック図である。
【図１０】本発明の実施形態におけるホームゲートウェイの要部構成を示す機能ブロック図である。
【図１１】本発明の実施形態におけるプレーヤの要部構成を示す機能ブロック図である。
【図１２】本発明の実施形態におけるメディアサーバの要部構成を示す機能ブロック図である。
【図１３】本発明の実施形態における携帯端末の要部構成を示す機能ブロック図である。
【図１４】本発明の実施形態におけるサービスプロバイダが提供するサーバの要部構成を示す機能ブロック図である。
【図１５】本発明の実施の形態２におけるコンテンツ配信システムの概略構成図である。
【図１６】本発明の実施の形態２におけるアクセス権限を無効化するまでの手順を示した図であり、（ａ）はフォーリンゲートウェイが携帯端末によって取得した認証情報を用いてホームゲートウェイからアクセスを許可されたときに、既に携帯端末によって取得した認証情報を用いてホームゲートウェイからアクセス許可を受けていた他のフォーリンゲートウェイのアクセス権限を無効にする手順を示すシーケンス図であり、（ｂ）は携帯端末が公衆通信網を通じてホームゲートウェイに直接アクセスして、フォーリンゲートウェイのアクセス権限を無効化する手順を示すシーケンス図である。
【図１７】従来技術を示すものであり、ＤＬＮＡを用いた従来のホームネットワークを示すネットワーク構成図である。
【図１８】従来技術を示すものであり、ＤＬＮＡに基づく従来のコンテンツ再生手順を示すシーケンス図である。
【図１９】従来技術を示すものであり、ホームサーバに蓄積されているコンテンツを再生することができるコンテンツ配信システムの構成を示すシステム構成図である。
【符号の説明】
【０１０７】
１０１                  ホームネットワーク
１０２                  フォーリンネットワーク
１０３                  メディアサーバ
１０４                  ホームゲートウェイ（コンテンツ提供サーバ）
１０５                  フォーリンゲートウェイ（コンテンツ配信サーバ）
１０６                  プレーヤ（コンテンツ再生装置）
１０７                  携帯端末（端末装置）
１０８                  サービスプロバイダ
１１０                  フォーリンゲートウェイ（外部コンテンツ配信サーバ）
９０４                  アクセス権限取得部（認証情報取得手段、アクセス権限取得手段）
９０５                  アクセス権限無効化部（アクセス権限無効化手段）
９０７                  コンテンツ管理部（再生機能終了検出手段、再生状況検出手段、電源断検出手段）
１００５                アクセス権限無効化部（コンテンツ配信サーバアクセス権限無効化手段）
１３０４                認証情報送信部（コンテンツ提供サーバ認証情報取得手段、コンテンツ提供サーバ認証情報提供手段）
【発明を実施するための最良の形態】
【０１０８】
〔実施形態１〕
本発明の一実施形態について図１ないし図１６に基づいて説明すれば以下の通りである。【０１０９】
はじめに、本実施形態に係るゲートウェイ装置を含むコンテンツ配信システムの構成について、図１に基づいて説明する。【０１１０】
図１は、コンテンツ配信システムの概略構成図である。コンテンツ配信システムは、ユーザの自宅内に構成されているホームネットワーク（以下、ＨＮＷと略記する）１０１と、ユーザが訪れる別宅内に構成されているフォーリンネットワーク（以下、ＦＮＷと略記する）１０２とを含んでいる。ＨＮＷ１０１にはＨＮＷ１０１内の機器を管理するホームゲートウェイ（以下、ＨＧＷと略記する）１０４が、ＦＮＷ１０２にはＦＮＷ１０２内の機器を管理するフォーリンゲートウェイ（以下、ＦＧＷと略記する）１０５が、それぞれ配置されている。【０１１１】
なお、ここでは、ユーザの自宅内に構成されているＨＮＷ１０１と、別宅内に構成されているＦＮＷ１０２とを便宜上区別して記述しているが、これらは相対的な呼称である。すなわち、ホームネットワークとフォーリンネットワーク、および、ホームゲートウェイとフォーリンゲートウェイの関係が入れ替わる場合もあるため、実装においては、双方のネットワーク、ゲートウェイは、双方の機能を有していることが望ましい。【０１１２】
ＨＮＷ１０１内にはメディアサーバ１０３が配置されている。メディアサーバ１０３は、例えば、ＨＤＤレコーダやＰＣなどのストレージを有する機器で構成され、動画や静止画、サウンドやオフィスドキュメントなどのさまざまなコンテンツを蓄積する。カメラなどのリアルタイムメディアを配信するデバイスもメディアサーバ１０３の一種である。図１では簡単のためひとつしか記載していないが、通常、メディアサーバ１０３はＨＮＷ１０１内に複数存在することが多い。一方、ＨＧＷ１０４は、ＨＮＷ１０１内に最低ひとつ設置されるが、複数有ってもかまわない。【０１１３】
ＦＮＷ１０２内には、プレーヤ１０６が配置される。プレーヤ１０６は、例えば、テレビやオーディオ機器といったコンテンツ再生装置で構成され、動画や静止画、サウンドなどの再生、オフィスドキュメントの提示などを行う。プレーヤの種類により扱うことができるメディアの種類は決まっており、たとえば、オーディオ機器で動画を再生することはできない。図１では簡単のためにひとつしか記載していないが、プレーヤ１０６はＦＮＷ１０２内に複数存在することが多い。一方、ＦＧＷ１０５は、ＦＮＷ１０２内に最低ひとつ設置されるが、複数有ってもかまわない。【０１１４】
通常、ホームゲートウェイの機能とフォーリンゲートウェイの機能とは単一の機器で実現されるので、各家庭にホームゲートウェイとフォーリンゲートウェイとを別個に（併せて二台）設置する必要はない。【０１１５】
なお、先に記載したようにホームゲートウェイとフォーリンゲートウェイとの区別は相対的なものなので、ここでは簡単のために省略しているが、通常、ＨＮＷ１０１内にもプレーヤは存在するし、ＦＮＷ１０２内にもメディアサーバが存在する。ＨＮＷ１０１内の各機器は、有線または無線による家庭内ＬＡＮによって相互に接続されており、互いにその存在を認識している。ＦＮＷ１０２内の各機器についても同様である。【０１１６】
また、本実施の形態においては、特許請求の範囲に記載のコンテンツ配信サーバをＦＧＷ１０５に、特許請求の範囲に記載のコンテンツ提供サーバをＨＧＷ１０４に、特許請求の範囲に記載のコンテンツ再生装置をプレーヤ１０６に、特許請求の範囲に記載の端末装置を携帯端末１０７に対応付けて説明を行っている。【０１１７】
（１．ＨＧＷとＦＧＷの接続確立）
ここで、ＨＮＷ１０１が構成されている家に住む、ＨＮＷ１０１のオーナーが、携帯端末１０７を持ってＦＮＷ１０２が構成されている家に移動し、ＦＮＷ１０２に属するプレーヤ１０６でＨＮＷ１０１に属するメディアサーバ１０３に蓄積されているコンテンツを視聴する状況を考える。【０１１８】
図２は、携帯端末１０７を介して取得した認証情報を用いてＦＧＷ１０５がＨＧＷ１０４に接続するまでの手順を示したシーケンス図である。ＦＧＷ１０５とＨＧＷ１０４との接続手順を、図２に基づいて説明すれば以下の通りである。【０１１９】
まず、携帯端末１０７は、ＦＧＷ１０５に対し、ＦＮＷ１０２に属するリソースの利用許可を申請する（Ｓ２０１）。ＦＧＷ１０５は、ＦＮＷ１０２において予め定められた利用許可ポリシーに従い（Ｓ２０２）、携帯端末１０７に対して、リソースの利用許可を与える（Ｓ２０３）。利用許可ポリシーとしては、すべての要求を受け入れるというものもあれば、ＦＮＷ１０２のオーナーによる確認を逐次求めるというポリシーも考えられる。クレジットカードなどを利用して、課金決済を行うということも考えられる。ここでは一例として、ＦＧＷ１０５と物理的に近接した位置にある携帯端末１０７に対してのみ、ＦＮＷ１０２に属する全てのリソースに対して、利用許可を与えるというポリシーを採用している。ＦＧＷ１０５と物理的に近接した位置に携帯端末１０７があるか否かに関しては、さまざまな方法で検証できる。たとえば、以下の方法がある。【０１２０】
（１）  携帯端末１０７とＦＧＷ１０５との間が十分短いケーブルで接続されるなど、物理的な接触が確認された場合にのみ、利用許可を与える。【０１２１】
（２）  携帯端末１０７とＦＧＷ１０５との間の通信を赤外線通信などの近接通信で行い、それを介した利用申請しか認めない（近接通信により利用申請がなされた場合にのみ、利用許可を与える。）。【０１２２】
（３）  ＦＧＷ１０５に対して、特定の物理的操作が直接施された後、予め定められた特定の時間内に利用申請を受信した場合にのみ、利用許可を与える。具体的には、例えば、ＦＧＷ１０５に物理的なボタンなどを配置し、それが押された後、十分短い所定の時間内に受信した利用申請のみ認める。【０１２３】
（４）  ＦＧＷ１０５の表示パネルにパスコードを表示し、そのパスコード（物理的に近接した位置から確認する必要がある）が入力された場合にのみ、利用許可を与える。なお、パスコードを近接通信（例えば、近接無線通信）でＦＧＷ１０５の周囲に発信することも可能。【０１２４】
本実施例においては、携帯端末１０７とＦＧＷ１０５とは、赤外線による通信を行う。ＦＧＷ１０５は、携帯端末１０７から赤外線による通信を受けることで、携帯端末１０７がＦＧＷ１０５の物理的な近傍に存在することを検証する。ＦＧＷ１０５は、携帯端末１０７がこの意味で物理的な近傍に存在する携帯端末１０７に対し、ＦＮＷ１０５に属するリソースの利用を許可する。このように、ＦＧＷ１０５を近接通信のみを受け入れるように構成することで、ＦＧＷ１０５と通信可能な携帯端末を限定する場合、図２における点線で囲まれたＳ２０１からＳ２０３までのステップを省略することができる。これは、Ｓ２１０にて携帯端末１０７から送信される、ＨＧＷ１０４のアドレス、ならびに、接続用のＩＤ、および、パスワードの通知を、赤外線通信でのみ受け入れるようにすることで、これらを送信した携帯端末１０７が、ＦＧＷ１０５の物理的な近傍に存在していることが自動的に保証されるためである。【０１２５】
ＨＮＷ１０１のオーナーが所持する携帯端末１０７には、ネットワークを介してＨＧＷ１０４にログインするための認証情報（ＨＧＷ１０４のクライアントであることを証明するクライアント証明書、および、ＨＧＷ１０４に対してログインするためのパスワード）が予め記憶されている。携帯端末１０７は、これらの認証情報を用いて、ネットワークを経由してＨＧＷ１０４にログインすることを試みる（Ｓ２０４）。セキュリティ上、携帯端末１０７とＨＧＷ１０４との間の通信経路は適切に暗号化され、第三者の盗聴、改竄などを防止することが望ましい。【０１２６】
ＨＧＷ１０４は、携帯端末１０７のクライアント証明書を確認したり、パスワード認証などを用いて、携帯端末１０７の認証を行い（Ｓ２０５）、ログインを許可する（Ｓ２０６）。次に携帯端末１０７は、ＦＧＷ１０５がＨＧＷ１０４に接続するためのパスワードの生成要求をＨＧＷ１０４に対し行う（Ｓ２０７）。ＨＧＷ１０４はパスワードの生成を行い（Ｓ２０８）、生成したパスワードを携帯端末１０７に送信する（Ｓ２０９）。このパスワードには有効期限が設定されており、その有効期限を越えると利用することができない一度限りの使い捨てのパスワード、いわゆるワンタイムパスワード（Ｏｎｅ  Ｔｉｍｅ  Ｐａｓｓｗｏｒｄ（ＯＴＰ））であることが好ましい。【０１２７】
携帯端末１０７は、接続先となるＨＧＷ１０４のアドレス、ならびに、接続用のＩＤおよびパスワードの通知を、近距離赤外線通信を介してＦＧＷ１０５に対して行う（Ｓ２１０）。接続用のＩＤは、予め携帯端末１０７とＨＧＷ１０４との間で設定されていたもの（あるいは、予め両者で合意されたルールに基づき動的に生成されたもの）であり、たとえ、Ｓ２０９における携帯端末１０７へのパスワード通知においてパスワードが外部に漏洩したとしてもこのＩＤが分からなければ利用できないので、リスクを軽減することができる。【０１２８】
ＦＧＷ１０５は、Ｓ２１０にて携帯端末１０７から与えられたアドレス、ＩＤ、パスワードを用いて、ＨＧＷ１０４に対して接続要求を行う（Ｓ２１１）。ＨＧＷ１０４は、ＩＤとパスワードの有効性を確認し、問題がなければＦＧＷ１０５との接続を確立する。この際、ＦＧＷ１０５とＨＧＷ１０４とは、サービスプロバイダ１０８の提供するＳＩＰサーバを介したＳＩＰ接続を行う。サービスプロバイダ１０８は、必要に応じて、各ゲートウェイの認証や、安全性評価などを行い、得られた情報を各ゲートウェイに対して提示することができる。各々のゲートウェイは、サービスプロバイダ１０８により提示される情報を参照することにより、あらかじめサービスに登録されているゲートウェイのみ接続を許可する、あるいは、評価が低いゲートウェイに対しては接続を拒否するなどの安全策を採用することができる。なお、ＨＧＷ１０４とＦＧＷ１０５との間の通信経路は、以後ＨＧＷ１０４の管理するメディアサーバ１０３のコンテンツリストやコンテンツが配信される経路なので、やはり適切に暗号化されることが望ましい。【０１２９】
なお、よりセキュアにＨＧＷ−ＦＧＷ間の通信を確立するためには、Ｓ２０１〜Ｓ２０３においてＦＧＷ１０５のネットワークアドレスを確認し、Ｓ２０７においてＦＧＷ１０５のネットワークアドレスをＨＧＷ１０４に通知するよう、携帯端末１０７を構成するとよい。この際、通知されたアドレスに該当するアドレスからしかアクセスを受け付けないよう、ＨＧＷ１０４を構成することにより、ＨＧＷ−ＦＧＷ間の通信をよりセキュアなものにすることができる。【０１３０】
（２．プレーヤによるコンテンツリストの取得）
ＨＮＷ１０１に属するメディアサーバ１０３内のコンテンツを再生するためには、どのコンテンツを再生するのか指定する必要がある。そのためには、メディアサーバ１０３内に蓄積されているコンテンツの一部ないし全部のリストを取得し、そこから選択する必要がある。【０１３１】
図３は、コンテンツリストをプレーヤ１０６が取得する手順を示したシーケンス図である。プレーヤ１０６は、ＦＧＷ１０５に対してコンテンツリストの取得を要求する（Ｓ３０１）。ＦＧＷ１０５はそれを受けて、ＨＧＷ１０４に対してコンテンツリスト要求を転送する（Ｓ３０２）。ＨＧＷ１０４は、自宅内に存在するメディアサーバ１０３の管理コンテンツを確認する（Ｓ３０３）。そのコンテンツリストをＦＧＷ１０５に対して送信する（Ｓ３０４）。コンテンツリストを受信したＦＧＷ１０５はそれをプレーヤ１０６に対して転送する（Ｓ３０５）。【０１３２】
図４は、プレーヤ１０６におけるＵＩ（Ｕｓｅｒ  Ｉｎｔｅｒｆａｃｅ）として、プレーヤ１０６に表示される表示画面を例示する説明図である。【０１３３】
表示画面４０１は、上述の方法で取得したコンテンツリストをカテゴリごとに階層化して提示したものである。例えば、ユーザがフォルダ４０３を選択すると、表示画面４０７として示したように、ＨＤＤレコーダで録画した番組群がリストされる。【０１３４】
また、フォルダ４０４を選択すると、デジタルカメラで撮影した写真群がリストされ、フォルダ４０５を選択すると、ビデオ撮影したムービー群がリストされる。また、フォルダ４０６を選択すると、ＣＤからリッピングした音楽やオンラインショップから購入した音楽がリストされる。これらのフォルダは仮想的なものであり、同一のファイルが複数のフォルダに分類される場合もある。【０１３５】
なお、ここであげた分類フォルダは一例であり、他にも登録日付別や新着コンテンツ、ジャンル別分類、メディアサーバ別分類などさまざまな分類方法が考えられる。【０１３６】
（３．コンテンツ再生）
図５は、先に取得したコンテンツリストから所望のコンテンツを選択し、指定されたコンテンツを再生する手順を示したものである。【０１３７】
プレーヤ１０６は再生するコンテンツを予め取得したコンテンツリストの中から選択し（Ｓ５０１）、そのコンテンツの配信要求をＦＧＷ１０５に対して送信する（Ｓ５０２）。ＦＧＷ１０５は要求されたコンテンツの提供をＨＧＷ１０４に対して要求する（Ｓ５０３）。ＨＧＷ１０４はＨＮＷ１０１内のメディアサーバ１０３より要求されたコンテンツを取得して（Ｓ５０４）、ＦＧＷ１０５に対して提供する（Ｓ５０５）。コンテンツの提供を受けたＦＧＷ１０５はプレーヤ１０６に対してコンテンツを配信する（Ｓ５０６）。プレーヤ１０６はＦＧＷ１０５より送られてくるコンテンツを再生する（Ｓ５０７）。ＦＧＷ１０５とプレーヤ１０６との間の通信は、通常のＤＬＮＡのプロトコルとして扱われ、プレーヤ１０６からはＦＧＷ１０５がＤＭＳとして見える。【０１３８】
図５に示した各手順において携帯端末１０７にて用いられるＵＩについて、再び図４を参照しながら説明する。【０１３９】
図４に示した表示画面４０７は、プレーヤ１０６においてコンテンツリストを表示する表示画面の構成例である。表示画面４０７において、コンテンツのサムネイル４０８と簡単な説明４０９がコンテンツごとに表示されている。【０１４０】
ユーザがいずれかのコンテンツを選択すると、指定されたコンテンツが再生される。再生するプレーヤによって、再生可能なフォーマットやビットレート、画面サイズなどが異なるため、コンテンツの転送を行うＨＧＷ１０４ないしはＦＧＷ１０５が必要なコンテンツ変換を行うことが望ましい。また、メディアサーバから最終のプレーヤに至る経路上では、ＱｏＳ（Ｑｕａｌｉｔｙ  ｏｆ  Ｓｅｒｖｉｃｅ）制御が行われ、サービスに必要な品質が確保されるよう、帯域を適切に管理する必要がある。【０１４１】
（４．アクセス権限の無効化）
上述した手順によって、別宅内のプレーヤ１０６から自宅内のメディアサーバ１０３のコンテンツを再生することが可能となるが、自宅へのアクセス権限をいつまでも有効にしていると、自宅のオーナーが別宅から離れたあとに、オーナーの意図しない形でオーナーの自宅のコンテンツにアクセスされてしまう可能性がある。また、コンテンツの私的利用など利用条件が限定されている状況で、同時に複数のアクセスを許してしまう可能性がある。それを防ぐために、アクセス権限を適切な契機で無効化できるようにする。【０１４２】
ここで、アクセス権限について説明する。別宅内のプレーヤ１０６から自宅内のメディアサーバ１０３のコンテンツを再生する場合、まず、プレーヤ１０６からＦＧＷ１０５に対してコンテンツ再生要求が送信され、その後、ＦＧＷ１０５がＨＧＷ１０４に対してプレーヤ１０６のコンテンツ再生要求を送信することになる。ＨＧＷ１０４は、ＦＧＷ１０５を介して別宅内のプレーヤ１０６からメディアサーバ１０３上のコンテンツを要求するコンテンツ要求を受けると、メディアサーバ１０３からコンテンツを取得し、取得したコンテンツをＦＧＷ１０５に提供する。【０１４３】
つまり、別宅内のプレーヤ１０６から自宅内のメディアサーバ１０３のコンテンツを再生するためには、ＨＧＷ１０４においてＦＧＷ１０５からのコンテンツ要求に対してコンテンツの提供が許可される、すなわち、ＨＧＷ１０４へのアクセスが許可される必要がある。また、ＦＧＷ１０５においても、プレーヤ１０６からのコンテンツ要求をＨＧＷ１０４に対して送信することが許可される、すなわち、ＨＧＷ１０４へのアクセスが許可される必要がある。そして、上記のアクセス権限の無効化とは、ＨＧＷ１０４へのアクセスが許可されない状態にすることである。【０１４４】
以下に、ＨＧＷ１０４へのアクセスを管理する仕組みについて、より具体的に説明すれば、以下のとおりである。【０１４５】
ＦＧＷ１０５は、管理下にある機器について、ＨＧＷ１０４へのアクセスを許可するか否かを表す情報（アクセス要求送信可否情報）を保持している。そして、ＦＧＷ１０５は、プレーヤ１０６からメディアサーバ１０３に対するコンテンツ再生要求を受けたとき、アクセス要求転送可否情報に従って、アクセスを許可するか否かを決定する。【０１４６】
一方、ＨＧＷ１０４は、認証した機器について、アクセスを許可するか否かを表す情報（アクセス可否情報）を保持している。そして、ＨＧＷ１０４は、ＦＧＷ１０５を介して別宅内のプレーヤ１０６からメディアサーバ１０３上のコンテンツを要求するコンテンツ要求を受けたとき、アクセス可否情報に従って、アクセスを許可するか否かを決定する。【０１４７】
したがって、上記アクセス要求送信可否情報とアクセス可否情報を、ＨＧＷ１０４へのアクセスを許可しないことを表すように設定すれば、上記のアクセス権限の無効化を実現できる。【０１４８】
なお、ＨＧＷ１０４においてＦＧＷ１０５からのアクセスが許可される状態となるまでの処理についてより詳細に説明すれば以下のとおりである。ＦＧＷ１０５は、携帯端末１０７を介して、ＨＧＷ１０４のアドレス、ならびに、接続用ＩＤおよびＨＧＷ１０４によって生成されたパスワードを取得し、取得したＨＧＷ１０４のアドレスをもとにＨＧＷ１０４に対して接続要求を行い、接続用ＩＤおよびパスワードを提示する。このとき、ＨＧＷ１０４は、提示された接続用ＩＤとパスワードを確認し、ＦＧＷ１０５がＨＧＷ１０４に対してアクセスする権限を有しているか否かを確認する認証を行う。【０１４９】
上記認証の結果、ＦＧＷ１０５のＨＧＷ１０４に対するアクセス権限が確認された場合、ＨＧＷ１０４においてＦＧＷ１０５からのアクセスが許可される。このとき、ＨＧＷ１０４は、ＦＧＷ１０５を特定する情報に対応付けてＦＧＷからのアクセスを許可することを示すデータをアクセス可否情報として保持する。【０１５０】
アクセス可否情報としては、認証の結果アクセス権限が確認された機器ごとに現在アクセスが許可されているか否かを示す情報が設定されていてもよいし、アクセスが許可されている機器のみについてのリストを保持していてもよく、特に限定はされない。また、アクセス可否情報は必ずしもＨＧＷ１０４が保持している必要はなく、他の装置によって保持され、そこから読み出す構成であってもよく、特に限定はされない。【０１５１】
まずは、携帯端末１０７を操作して明示的にログオフの操作をすることにより、アクセス権限を無効化する。ここではログオフ操作により無効化する手順として、２つのパターンを示す。基本的には、ログイン時に使用した手順の延長となる。【０１５２】
図６の（ａ）は、携帯端末からの要求によってフォーリンゲートウェイのアクセス権限を無効化する手順を示す図である。図６の（ａ）には、携帯端末１０７とＦＧＷ１０５との間で、ＷｉＦｉ（Ｗｉｒｅｌｅｓｓ  Ｆｉｄｅｌｉｔｙ）などの双方向通信路もしくは赤外線通信などの携帯端末１０７からＦＧＷ１０５への片方向通信路が利用できる場合の無効化手順が示されている。携帯端末１０７はＦＧＷ１０５に対してログオフ要求を送信する（Ｓ６１１）。【０１５３】
ＦＧＷ１０５は、どの携帯端末がログインしたか、すなわち、ＨＧＷ１０４による認証を受けるときにどの携帯端末が利用されたかを管理しており、その携帯端末からログオフの要求を受けたときにＨＧＷ１０４へのアクセス権限を無効化する（Ｓ６１２）。【０１５４】
Ｓ６１２におけるアクセス権限の無効化について、より具体的に説明すれば次のとおりである。ＦＧＷ１０５では、上述したとおり、ＦＧＷ３０５の管理下にある機器からＨＧＷ１０４へのアクセスを許可するか否かを表すアクセス要求送信可否情報を保持している。つまり、Ｓ６１２では、アクセス要求送信可否情報は、ＦＧＷ３０５の管理下にある機器からＨＧＷ１０４へのアクセス要求の送信を許可しないことを表すように設定される。【０１５５】
これにより、ＦＧＷ１０５は、プレーヤ１０６からＨＧＷ１０４に対するアクセスの要求を受けた場合、アクセス要求送信可否情報の設定内容に従って、ＨＧＷ１０４に対するアクセスを許可しない。しかしながら、ＦＧＷ１０５の属するＦＮＷ１０２上にコンテンツを格納する他のメディアサーバが存在する場合、プレーヤ１０６はＦＧＷ１０５を通じてそのメディアサーバにアクセス可能である。【０１５６】
さらにＨＧＷ１０４に対してアクセス権限無効化要求を送信する（Ｓ６１３）。アクセス権限無効化要求を受信したＨＧＷ１０４は、それ以降ＦＧＷ１０５からのアクセスを禁止、すなわち、アクセス権限を無効化する（Ｓ６１４）。【０１５７】
Ｓ６１３のアクセス権限無効化要求とは、ＦＧＷ１０５からＨＧＷ１０４へのアクセスを許可しないことを要求するデータであり、図６の（ａ）に示す例では、ＦＧＷ１０５自らがＨＧＷ１０４に対して送信する。Ｓ６１４におけるアクセス権限の無効化について、より具体的に説明すれば次のとおりである。ＨＧＷ１０４では、上述したとおり、ＦＧＷ１０５からのアクセスを許可するか否かを表すアクセス可否情報を保持している。そして、ＨＧＷ１０４は、アクセス権限無効化要求を受信すると、Ｓ６１４において、アクセス可否情報を、ＦＧＷ１０５からのアクセスを許可しないことを表すように設定する。これにより、ＨＧＷ１０４は、ＦＧＷ１０５からのコンテンツ要求に対してコンテンツを提供しない。【０１５８】
図６の（ｂ）は、携帯端末１０７からサービスプロバイダ１０８を通じて、アクセス権限を無効化する手順を示したものである。携帯端末１０７はインターネットや携帯網を通じてサービスプロバイダ１０８に対してログオフ要求を送信する（Ｓ６２１）。ログオフ要求を受けたサービスプロバイダ１０８は、ログオフ要求を出した携帯端末１０７によって、どのゲートウェイ同士が結びつけられているか、すなわち、どのゲートウェイがどのゲートウェイによってアクセスを許可されているかを管理しているため、それぞれゲートウェイに対してアクセス権限の無効化を要求することが可能である。【０１５９】
サービスプロバイダ１０８は、ＦＧＷ１０５に対してアクセス権限無効化要求を送信し（Ｓ６２２）、それを受けたＦＧＷ１０５はＨＧＷ１０４へのアクセス権限を無効化する（Ｓ６２４）。Ｓ６２４におけるアクセス権限の無効化は、上述したＳ６１２におけるアクセス権限の無効化と同様である。【０１６０】
同様に、サービスプロバイダ１０８は、ＨＧＷ１０４に対してアクセス権限無効化要求を送信し（Ｓ６２３）、それを受けたＨＧＷ１０４はＦＧＷ１０５からのアクセス権限を無効化する（Ｓ６２５）。Ｓ６２５におけるアクセス権限の無効化は、上述したＳ６１４におけるアクセス権限の無効化と同様である。【０１６１】
この構成例では、携帯端末１０７とＦＧＷ１０５は離れていてもよいため、別宅から移動した後でもログオフすることが可能である。【０１６２】
また、ＦＧＷ１０５が携帯端末１０７の有無、すなわち、存在を認識できるか否かに応じて、自動的にアクセス権限を無効化できる構成が考えられる。これにより、ユーザがログオフの操作を忘れた場合であっても、アクセス権限の無効化を適切な契機で行うことができる。以下に、携帯端末１０７の有無に応じて自動的にアクセス権限の無効化を行う構成について説明する。【０１６３】
携帯端末１０７の有無により自動的に無効化する手順は、利用できるネットワーク環境によってさまざま考えられるが、ここでは２つのパターンを示す。【０１６４】
図７の（ａ）は、携帯端末１０７とＦＧＷ１０５との間でＷｉＦｉなどの双方向通信路が利用できる場合に、携帯端末１０７の有無に応じてＦＧＷ１０５のアクセス権限を無効化する処理の流れを示すフローチャートである。【０１６５】
はじめに、ＦＧＷ１０５は、所定の条件が満たされているか否かを判定する（Ｓ７１１）。ここで、所定の条件としては、「あらかじめ定められた時間が経過した」、「携帯端末１０７の認証の際に定められた時間が経過した」、「プレーヤ１０６から自宅へのコンテンツへのアクセスが停止した」などの条件が挙げられる。Ｓ７１１において、前記の所定の条件が満たされている場合、ＦＧＷ１０５は、携帯端末１０７が存在するか否かを確認するための処理を開始する。つまり、Ｓ７１１は、ＦＧＷ１０５が携帯端末１０７の存在を確認するための処理を開始するトリガーとなる。【０１６６】
存在を確認するための処理として、まず、ＦＧＷ１０５は、携帯端末１０７に対して存在確認メッセージを送信する（Ｓ７１２）。存在確認メッセージとしては、例えば、ＩＣＭＰ（Ｉｎｔｅｒｎｅｔ  Ｃｏｎｔｒｏｌ  Ｍｅｓｓａｇｅ  Ｐｒｏｔｏｃｏｌ）のｐｉｎｇメッセージを利用することが考えられる。そして、ＦＧＷ１０５は、携帯端末１０７から送信した存在確認メッセージに対する応答が返ってきたか否かを判定する（Ｓ７１３）。ＦＧＷ１０５は、ＭＡＣ（Ｍｅｄｉａ  Ａｃｃｅｓｓ  Ｃｏｎｔｒｏｌ）アドレスや携帯電話のＳＩＭ（Ｓｕｂｓｃｒｉｂｅｒ  Ｉｄｅｎｔｉｔｙ  Ｍｏｄｕｌｅ）カードに付与されている固有番号などを用いて、個々の携帯端末１０７を識別できる。【０１６７】
Ｓ７１３において応答が返ってきた場合、処理はＳ７１１に戻る。すなわち、携帯端末１０７が存在することが確認されたため、アクセス権限を無効化する必要はないため、再び所定の条件を満たすまで現在の状態を継続する。Ｓ７１３において応答が返ってこなかった場合、携帯端末１０７が存在しないため、アクセス権限を無効化する（Ｓ７１４）。【０１６８】
Ｓ７１４におけるアクセス権限の無効化の具体的な内容は、上述したＳ６１２におけるアクセス権限の無効化と同様である。また、この後、ＦＧＷ１０５は上述したＳ６１３と同様のアクセス権限無効化要求の送信を行い、ＨＧＷ１０４において上述したＳ６１４と同様のアクセス権限の無効化が行われる。【０１６９】
図７の（ｂ）は、携帯端末１０７の移動に応じてサービスプロバイダ１０８を通じてＦＧＷ１０５のアクセス権限を無効化する手順を示すシーケンス図である。図７の（ｂ）には、サービスプロバイダ１０８を利用する場合の無効化手順が示されている。【０１７０】
図７の（ｂ）に示す例では、携帯端末１０７は、移動する場合、インターネットや携帯網を通じて、携帯端末１０７自身の移動に関する情報をサービスプロバイダ１０８に送信する（Ｓ７２１）。ここで、携帯端末１０７の移動に関する情報（以下、移動情報と略す）として、「ハンドオーバー」や「ＧＰＳ情報」などが含まれている。【０１７１】
以下に、アクセス権限を無効化する手順についてより具体的に説明する。はじめに、ＦＧＷ１０５は、所定の条件が満たされているか否かを判定する（Ｓ７２２）。ここで、所定の条件とは、上述の図７の（ａ）の説明における所定の条件と同様であり、説明は省略する。【０１７２】
Ｓ７２２において、前記の所定の条件が満たされている場合、ＦＧＷ１０５は、携帯端末１０７の移動情報をサービスプロバイダ１０８に対して問い合わせる（Ｓ７２３）。サービスプロバイダ１０８は、ＦＧＷ１０５から問い合せを受けると、ＦＧＷ１０５に対して携帯端末１０７の移動情報を送信する（Ｓ７２４）。【０１７３】
ＦＧＷ１０５は、サービスプロバイダ１０８より携帯端末１０７の移動情報を受信すると、受信した情報に基づいて移動の有無を判定する（Ｓ７２５）。上述したとおり、移動情報としては、「ハンドオーバー」や「ＧＰＳ（Ｇｌｏｂａｌ  Ｐｏｓｉｔｉｏｎｉｎｇ  Ｓｙｓｔｅｍ）情報」などが含まれている。そのため、ＦＧＷ１０５は、移動情報を用いて、「携帯端末１０７が認証後にハンドオーバーしたか」、「認証時のＧＰＳ情報と現在のＧＰＳ情報が異なるか」などを確認する処理を行うことで、携帯端末１０７の移動の有無を判定する。Ｓ７２５において、ＦＧＷ１０５は、携帯端末１０７の移動があったと判定した場合、アクセス権限を無効化する（Ｓ７２６）。【０１７４】
Ｓ７２６におけるアクセス権限の無効化の具体的な内容は、上述したＳ６１２におけるアクセス権限の無効化と同様である。また、この後、ＦＧＷ１０５は上述したＳ６１３と同様のアクセス権限無効化要求の送信を行い、ＨＧＷ１０４において上述したＳ６１４と同様のアクセス権限の無効化が行われる。【０１７５】
自動的にアクセス権限を無効化するための別の構成として、ＦＧＷ１０５にアクセス権限の有効期間を設定する構成としてもよい。ただし、有効期間として一律の期間を設定してしまうと、使用条件によって大変不都合なことが起こりうる。例えば、有効期間を一律１時間と設定してしまうと、ほんの数分自宅内のコンテンツを参照するためにアクセスしただけにも関わらず、しばらくの間つなぎっぱなしになってしまう。その一方で、例えば２時間の番組を視聴していたところ、１時間経過したところで、途中であるにも関わらずコンテンツの再生が中止されてしまうという状況が発生しうる。そこで、携帯端末１０７にてユーザがあらかじめ有効期間を設定できるようにし、図２に示す接続確立手順のＳ２１０において、パスワードとともに有効期間を送信するような構成とする。これによって、接続するときの状況に合わせて、有効期間を設定することができる。【０１７６】
また、有効期間の設定については、ユーザによってあらかじめ設定される構成以外に、ＦＧＷ１０５において自動的に設定される構成とすることも可能である。以下に、ＦＧＷ１０５において自動的に有効期間が設定される構成について説明する。【０１７７】
上述したとおり、携帯端末１０７の存在有無によってアクセス権限を無効化する構成が考えられる。しかしながら、携帯端末１０７の存在確認については、ＦＧＷ１０７が携帯端末１０７の存在確認の機能を備えていないため確認が不可能であるか、或いは携帯端末１０７の存在が確認できるものの、もはやプレーヤ１０６は自宅のメディアサーバ１０３にアクセスしていないという状況が考えられる。このような状況を考慮して、携帯端末１０７の有無だけでなく、自宅へのアクセス状況によってもアクセス権限を無効化することが考えられる。つまり、プレーヤ１０６による自宅のメディアサーバ１０３へのアクセスは全てＦＧＷ１０５を経由するため、ＦＧＷ１０５はプレーヤ１０６の動作状況を詳細に認識することができ、プレーヤ１０６の動作状況に応じてアクセス権限を無効化することができる。【０１７８】
図８は、ＦＧＷ１０５がプレーヤ１０６の動作状況に応じてアクセス権限を無効化するまでの有効期間を設定する構成の場合に、アクセス権限を無効化する処理の流れを示す図である。設定する期間は一律でもよいが、アクセス状況に応じてより細かな期間の設定が可能である。【０１７９】
図８に示す例では、ＦＧＷ１０５は、はじめにプレーヤ１０６の動作状況、すなわち、コンテンツの再生状況を認識するための判定処理を実行し、その結果認識されたプレーヤ１０６の動作状況に応じて、アクセス権限が有効である時間、すなわち、アクセス権限の有効期間を設定する処理を行う。【０１８０】
例えば、ＦＧＷ１０５は、プレーヤ１０６がコンテンツリストを取得したか否かを判定し（Ｓ８０１）、取得したと判定した場合には、有効期間Ａを設定する（Ｓ８０５）。コンテンツリストを取得した場合には、その後にコンテンツへアクセスする可能性が高いため、無効化するための一定期間を長めに設定するのが好ましく、有効期間Ａは、長めの期間となっている。【０１８１】
また、ＦＧＷ１０５は、プレーヤ１０６がコンテンツの途中までアクセスして一時的に停止したか否かを判定し（Ｓ８０２）、コンテンツの途中でアクセスを一時的に停止したと判定した場合には、有効期間Ｂを設定する（Ｓ８０６）。コンテンツの途中までアクセスして一時的に停止した場合、途中から再開する可能性があるため、無効化する一定期間を長めに設定するのが好ましく、有効期間Ｂは、長めの期間となっている。【０１８２】
また、ＦＧＷ１０５は、プレーヤ１０６がコンテンツの最後までアクセスしたか否かを判定し（Ｓ８０３）、コンテンツの最後までアクセスしたと判定した場合には、有効期間Ｃを設定する（Ｓ８０７）。有効期間Ｃは、比較的短めの期間である。【０１８３】
また、ＦＧＷ１０５は、プレーヤ１０６がメディアサーバ１０３において公開されているコンテンツ全てにアクセスが完了したか否かを判定し（Ｓ８０４）、公開されているコンテンツ全てにアクセスが完了したと判定した場合には、有効期間Ｄを設定する（Ｓ８０８）。公開されているコンテンツ全てにアクセスが完了した場合には、もうアクセスする必要はほぼないと考えられるため、有効期間Ｄは、無効化の設定がすぐに行われるように非常に短い期間である。【０１８４】
Ｓ８０５〜Ｓ８０８において有効期間を設定した後、ＦＧＷ１０５は、設定した有効期間について有効期間切れが発生したか否かの判定を行う（Ｓ８０９）。このとき、有効期限切れが発生していると判定した場合には、ＦＧＷ１０５は、アクセス権限を無効化する（Ｓ８１１）。【０１８５】
Ｓ８１１におけるアクセス権限の無効化の具体的な内容は、上述したＳ６１２におけるアクセス権限の無効化と同様である。また、この後、ＦＧＷ１０５は上述したＳ６１３と同様のアクセス権限無効化要求の送信を行い、ＨＧＷ１０４において上述したＳ６１４と同様のアクセス権限の無効化が行われる。【０１８６】
一方、有効期限切れは発生していないと判定した場合には、ＦＧＷ１０５は、プレーヤ１０６からメディアサーバ１０３に対するアクセスが発生しているか否かの判定を行う（Ｓ８１０）。【０１８７】
Ｓ８１０において、アクセスが発生していると判定した場合には、設定した有効期間をクリアする（Ｓ８１３）。そして、再度、プレーヤ１０６の動作状況を認識するための処理に戻る。一方、Ｓ８１０において、アクセスが発生していないと判定した場合には、ＦＧＷ１０５は、Ｓ８０９の有効期限切れの判定処理に戻る。【０１８８】
また、ＦＧＷ１０５は、プレーヤ１０６の動作状況として、プレーヤ１０６が終了したか否かについても判定する（Ｓ８１２）。このとき、プレーヤ１０６が終了したと判定した場合、ＦＧＷ１０５は、有効期限切れが発生した場合と同様、すぐに無効化の処理を行う（Ｓ８１１）。【０１８９】
プレーヤ１０６が終了する状況としては、プレーヤ１０６の装置の電源を切るほかに、プレーヤ１０６の機能を有するアプリケーションのみを終了するケースがある。また、プレーヤ１０６の機能がテレビに搭載されている場合に他のチャンネルや入力に切り替わるなどして他の機能に切り替えられた場合もプレーヤ１０６が終了する。【０１９０】
ＦＧＷ１０５がプレーヤ１０６の終了を確認するには、携帯端末１０７の存在の有無確認に使用する方法と同様の方法が利用できる。また、ＤＬＮＡであれば、イベント購読の仕組みにより確認可能である。【０１９１】
イベント購読の仕組みついて、より具体的に説明すれば、次のとおりである。ＤＬＮＡにおいては、プレーヤ１０６はサーバとなるＦＧＷ１０５を発見するとイベント購読の登録をすることができる。プレーヤ１０６は終了するときにそのイベント購読の解除をＦＧＷ１０５に対して知らせる。ＦＧＷ１０５はその解除メッセージを受信したことを受けてプレーヤが終了したことを認識することができるので、それをもとにアクセス権限を無効化することが可能となる。【０１９２】
また、ＦＮＷ１０２にプレーヤ１０６以外に複数のプレーヤが存在し、同時に複数のプレーヤからＦＧＷ１０５を通じてＨＧＷ１０４にアクセスを試みる可能性があるが、一度にＨＧＷ１０４にアクセスできるのは一台のプレーヤのみに限るものとする。【０１９３】
なお、上述した各無効化の手順にはそれぞれ優先度を設けるものとする。例えば、いくらプレーヤ１０６がメディアサーバ１０３にアクセスしている最中であっても、携帯端末１０７の不在が確認されたり、認証時に設定した有効期間が経過したりした場合には強制的にアクセス権限を無効化する。有効期間が経過していなくても携帯端末１０７にて明示的にログオフ操作がなされた場合には即座にアクセス権限を無効化する。【０１９４】
また、ＦＧＷ１０５は、上述したプレーヤ１０６におけるコンテンツの再生状況や再生機能終了を検出してアクセス権限の無効化を行う構成のほか、プレーヤ１０６の電源断を検出することによってアクセス権限の無効化を行う構成であってもよい。つまり、ＦＧＷ１０５は、同じネットワーク内にプレーヤ１０６が接続されているため、プレーヤ１０６と通信できない場合や、プレーヤ１０６からの明示的な電源断を表す信号を受信することによって電源断を検出し、上述のアクセス権限を無効化する。【０１９５】
また、本実施の形態では、図１に示すとおりＦＧＷ１０５とプレーヤ１０６とが独立して構成として説明したが、プレーヤ１０６がＦＧＷ１０５に内包されている構成であってもよく、特に限定はされない。【０１９６】
（５．  各装置の構成）
次に、図２、図３、および、図５に示した処理を実現する各装置の構成について、図９〜１４に基づいて説明する。【０１９７】
図９は、ＦＧＷ１０５の要部構成を示す機能ブロック図である。【０１９８】
図９に示したように、ＦＧＷ１０５は、以下に列挙する要素を含んで構成されている。【０１９９】
・  各種外部装置との通信インタフェースである通信部９０１・９１３・９１４。【０２００】
・  認証を伴う通信を管理する認証部９０２。【０２０１】
・  携帯端末１０７からの接続要求（利用申請）Ｓ２０１を受け付ける接続要求受付部９０３。【０２０２】
・  接続先となるＨＧＷ１０４を一意に指定するためのアドレス（コンテンツ提供サーバ特定情報）と、ＨＧＷ１０４との間に認証された通信経路を確立するための接続用ＩＤおよびパスワード（認証情報）とを携帯端末１０７から取得する（Ｓ２１０）、アクセス権限取得部（認証情報取得手段、アクセス権限取得手段）９０４。【０２０３】
・  アクセス権限取得部９０４にて取得した接続用ＩＤおよびパスワードを、同じくアクセス権限取得部９０４にて取得したアドレスにより指定されたＨＧＷ１０４に送信し（Ｓ２１１）、認証された通信経路を確立する（Ｓ２１３）、接続確立部９０９。【０２０４】
・  コンテンツリストを要求するコンテンツリスト要求をプレーヤ１０６から取得し（Ｓ３０１）、取得したコンテンツリスト要求を接続確立部９０９により確立された通信経路を介してＨＧＷ１０４に転送するとともに（Ｓ３０２）、該コンテンツリスト要求に対する応答としてＨＧＷ１０４から取得したコンテンツリストを（Ｓ３０４）、プレーヤ１０６に転送する（Ｓ３０５）、コンテンツ管理部９０７。【０２０５】
・  携帯端末１０７やプレーヤ１０６の動作状況に応じて、ＨＧＷ１０４と接続確立して有効となったアクセス権限を無効化するアクセス権限無効化部（アクセス権限無効化手段）９０５。【０２０６】
・  コンテンツリストに含まれるコンテンツのなかで、再生するべきコンテンツを指定するためのコンテンツ指定情報を、プレーヤ１０６から取得する（Ｓ５０２）、コンテンツ指定受付部（コンテンツ指定情報取得手段）９０６。【０２０７】
・  ＨＧＷ１０４の管理下にあるコンテンツのうち、コンテンツ指定情報により指定されたコンテンツの配信をＨＧＷ１０４に対して要求し（Ｓ５０３）、接続確立部により確立された通信経路を介して、ＨＧＷ１０４から配信されたコンテンツを取得する（Ｓ５０５）、コンテンツ取得部（コンテンツ取得手段）９１０。【０２０８】
・  コンテンツ取得部９１０が取得したコンテンツに対し、プレーヤ１０６の機能に応じてコンテンツ変換を施すコンテンツ変換部９１１。【０２０９】
・  コンテンツ取得部９１０にて取得され、コンテンツ変換部９１１にて必要に応じてコンテンツ変換を施されたコンテンツを、プレーヤ１０６に送信する（Ｓ５０６）、コンテンツ送信部（コンテンツ配信手段）９１２。【０２１０】
・  コンテンツの再生開始、早送り、巻き戻し、停止などを指示するユーザ操作を受け付け、受け付けたユーザ操作に基づいてコンテンツ送信部９１２およびコンテンツ取得部９１０を制御するコンテンツ操作受付部９０８。【０２１１】
ＦＧＷ１０５は通信部９０１、９１１、９１４を介してネットワークと接続している。ＦＧＷ１０５が携帯端末１０７やＨＧＷ１０４などＦＮＷ１０２の外部と通信を行う際には認証部９０２を介す。接続要求受付部９０３が携帯端末１０７から接続要求を受け付けると、アクセス権限取得部９０４がＨＧＷ１０４への接続に必要なアドレス、ＩＤ、パスワード等の情報を携帯端末１０７から受信し、その情報に基づき接続確立部９０９がＨＧＷ１０４との接続を確立する。【０２１２】
コンテンツ管理部（再生機能終了検出手段、再生状況検出手段、電源断検出手段）９０７はＨＧＷ１０４からコンテンツリストを取得し、プレーヤ１０６からの要求に基づきコンテンツリストをプレーヤ１０６に供給する。コンテンツ指定受付部９０６がコンテンツの要求をプレーヤ１０６から受け付けると、コンテンツ取得部９１０は接続確立部９０９が確立したＨＧＷ１０４との接続に基づき、要求されたコンテンツを取得する。また、コンテンツの再生中にコンテンツ再生操作をプレーヤ１０６から受信すれば、コンテンツ送信部９１２ないしはコンテンツ取得部９１０に働きかけて、コンテンツの早送り、巻き戻しなどの再生操作に対応する。そのため、コンテンツ管理部９０７は、コンテンツの再生状況や再生機能終了を検出することができる。また、コンテンツ管理部９０７は、プレーヤ１０６と通信を行うことができない場合、プレーヤ１０６の電源断を検出することができる。あるいは、コンテンツ管理部９０７は、プレーヤ１０６から電源断を表す信号を受信することによって、プレーヤ１０６の電源断を検出する構成であってもよく、特に限定はされない。【０２１３】
図１０は、ＨＧＷ１０４の要部構成を示す機能ブロック図である。【０２１４】
図１０に示したように、ＨＧＷ１０４は、以下に列挙する要素を含んで構成されている。【０２１５】
・  各種外部装置との通信インタフェースである通信部１００１・１０１３・１０１４。【０２１６】
・  ＦＧＷ１０５がＨＧＷ１０４との間に認証された通信経路を確立するために利用するパスワードの取得を要求するアクセス権限要求を、携帯端末１０７から受け付ける（Ｓ２０７）、アクセス権限要求受付部１００３。【０２１７】
・  アクセス権限要求に応じて、不図示のパスワード生成部が生成した（Ｓ２０８）パスワード（例えば、ワンタイムパスワード）を、携帯端末１０７に送信する（Ｓ２０９）アクセス権限送信部１００４（認証情報送信手段）。【０２１８】
・  既に接続確立したＦＧＷとは異なる機器からのアクセス状況に応じて、接続確立中のＦＧＷからのアクセス権限を無効化するアクセス権限無効化部１００５（コンテンツ配信サーバアクセス権限無効化手段）。【０２１９】
・  ＩＤとパスワードとを含む接続要求をＦＧＷ１０５から受け付ける（Ｓ２１１）、接続要求受付部１００６。【０２２０】
・  接続要求受付部１００６が受け付けたパスワードが、パスワード生成部により生成された有効なパスワードであるか否かを確認する（Ｓ２１２）、認証部１００２。【０２２１】
・  接続要求受付部１００６が受け付けたパスワードの有効性が認証部１００２にて確認された場合、ＦＧＷ１０５との間に通信経路を確立する（Ｓ２１３）接続確立部１００７（通信路確立手段）。【０２２２】
・  接続確立部１００７により確立された通信経路を介してコンテンツリスト要求をＦＧＷ１０５から受信し（Ｓ３０２）、ＨＧＷ１０４の管理下にあるコンテンツのリストを生成し（Ｓ３０３）、生成したコンテンツのリストを接続確立部１００７により確立された通信経路を介してＦＧＷ１０５に送信する（Ｓ３０４）、コンテンツ管理部１００９。【０２２３】
・  プレーヤ１０６においてコンテンツリストに属するコンテンツのなかからユーザにより選択されたコンテンツを指定するためのコンテンツ指定情報を含むコンテンツ配信要求を、接続確立部１００７により確立された通信経路を介してＦＧＷ１０５から受け付ける（Ｓ５０３）コンテンツ指定受付部１００８。【０２２４】
・  コンテンツ配信要求に含まれるコンテンツ指定情報により指定されたコンテンツを、メディアサーバ１０３から取得する（Ｓ５０４）、コンテンツ取得部１０１０。【０２２５】
・  メディアサーバ１０３から取得されたコンテンツに対し、該コンテンツをＦＧＷ１０５に送信するために必要なコンテンツ変換を行うコンテンツ変換部１０１１。【０２２６】
・  コンテンツ変換部１０１１にて必要に応じてコンテンツ変換を施されたコンテンツを、接続確立部１００７により確立された通信経路を介してＦＧＷ１０５に送信する（Ｓ５０５）、コンテンツ送信部１０１２（コンテンツ配信手段）。【０２２７】
ＨＧＷ１０４は通信部１００１を介してネットワークと接続している。ＨＧＷ１０４が携帯端末１０７やＦＧＷ１０５などＨＮＷ１０１の外部と通信を行う際には認証部１００２を介す。アクセス権限要求受付部１００３は携帯端末１０７からアクセス権限の要求を受け付けると、パスワードを生成し、アクセス権限送信部１００４が携帯端末１０７に対し、パスワードを送付する。【０２２８】
接続要求受付部１００６がＦＧＷ１０５からの接続要求を受け付けると、接続確立部１００７はＦＧＷ１０５との接続を確立する（アクセス権限送信部１００４が送信した有効なパスワードかどうかのチェックが認証部１００２で行われる）。コンテンツ管理部１００９はＦＧＷ１０５からの要求に基づきコンテンツリストの送信を行う。コンテンツ指定受付部１００８がコンテンツ配信要求を受け付けると、コンテンツ取得部１０１０は通信部１０１３を介してメディアサーバと１０３と通信を行い、要求されたコンテンツを取得する。コンテンツ変換部１０１１が送信に必要な変換を行った後、コンテンツ送信部１０１２が通信部１０１４を介してコンテンツの送信を行う。【０２２９】
図１１は、プレーヤ１０６の要部構成を示す機能ブロック図である。【０２３０】
プレーヤ１０６は、図１１に示したように、プレーヤ１０６は、以下に列挙する要素を含んで構成されている。【０２３１】
・  ＦＮＷ１０２内の他の機器と通信を行うための通信インタフェースである通信部１１０１と、コンテンツリストを要求するコンテンツリスト要求をＦＧＷ１０５に送信し（Ｓ３０１）、ＦＧＷ１０５がＨＧＷ１０４から取得したコンテンツリストを、ＦＧＷ１０５から受信する（Ｓ３０５）、コンテンツ管理部１１０２。【０２３２】
・  ＵＩ部１１０７にて検知したユーザ操作に基づいて、コンテンツリストのなかから再生すべきコンテンツを特定し、再生すべきコンテンツを指定するためのコンテンツ指定情報をＦＧＷ１０５に送信する（Ｓ５０２）、コンテンツ選択部１１０３。【０２３３】
・  ＵＩ部１１０７にて検知したユーザ操作に基づいて、コンテンツの再生を制御するコンテンツ操作部１１０４。【０２３４】
・  ＨＧＷ１０４の管理下にあるコンテンツの配信をＦＧＷ１０５から受ける（Ｓ５０６）コンテンツ取得部１１０５（コンテンツ取得手段）と、コンテンツ取得部１１０５が取得したコンテンツを再生する（Ｓ５０７）コンテンツ再生部１１０６（コンテンツ再生手段）。【０２３５】
コンテンツ管理部１１０２はネットワークを介してＨＧＷ１０４よりコンテンツリストを取得する。ＵＩ部１１０７に接続されたコンテンツ選択部１１０３により、コンテンツが選択され再生が行われる。コンテンツ操作部１１０４はＵＩ部１１０７を介してさまざまな再生操作を行う。【０２３６】
図１２は、メディアサーバ１０３の要部構成を示す機能ブロック図である。【０２３７】
メディアサーバ１０３は、図１２に示したように、ＨＮＷ１０１内の他の機器と通信を行うための通信インタフェースである通信部１２０１と、当該メディアサーバ１０３の管理下にあるコンテンツのリストをＨＧＷ１０４に送信するコンテンツ管理部１２０３と、ＨＧＷ１０４にコンテンツを送信するコンテンツ送信部１２０２と、を含んで構成されている。【０２３８】
図１３は、携帯端末１０７の要部構成を示す機能ブロック図である。【０２３９】
携帯端末１０７は、図１３に示したように、以下の要素を含んで構成されている。【０２４０】
・  各種外部装置との通信インタフェースである通信部１３０１。【０２４１】
・  ＦＮＷ１０２内にあるゲートウェイ装置を発見するためのリソース発見部１３０２。【０２４２】
・  リソース発見部１３０２により発見されたＦＧＷ１０５に対し、利用申請を送り接続要求を行う（Ｓ２０１）、接続要求部１３０３。【０２４３】
・  ＦＧＷ１０５と接続するために必要となる認証情報、および、ＨＧＷ１０４にログインする（Ｓ２０４）ために必要となる認証情報を管理する認証情報管理部１３０７。【０２４４】
・  ＦＧＷ１０５との接続に際して、必要となる認証情報を認証情報管理部１３０７から取得してＦＧＷ１０５に送信し（Ｓ２０１）、また、ＨＧＷ１０４へのログインに際して、必要となる認証情報を認証情報管理部１３０７から取得してＨＧＷ１０４に送信する（Ｓ２０４）、認証情報送信部１３０４（コンテンツ提供サーバ認証情報取得手段、コンテンツ提供サーバ認証情報提供手段）。【０２４５】
・  ＦＧＷ１０５がＨＧＷ１０４との間に認証された通信経路を確立するために必要となるパスワード（認証情報）をＨＧＷ１０４に対して要求し（Ｓ２０７）、ＨＧＷ１０４にて生成されたパスワードを取得する（Ｓ２０９）アクセス権限取得部１３０５（認証情報取得手段）。【０２４６】
・  アクセス権限取得部１３０５が取得したパスワード（認証情報）と、予め記憶部（不図示）に記憶された、接続用ＩＤ（認証情報）およびＨＧＷ１０４を指定するアドレス（外部ゲートウェイ指定情報）とを、ＦＧＷ１０５に送信する（Ｓ２１０）アクセス権限送信部１３０６（認証情報送信手段）。【０２４７】
携帯端末１０７は通信部１３０１を介して他の機器と通信を行う。通信部１３０１はインターネットや携帯網など複数のネットワークから構成される場合が多い。ＦＮＷに入った携帯端末１０７はリソース発見部１３０２により、ネットワーク内にＦＧＷ１０５を見つけ、接続要求部１３０３によりＦＧＷへの接続要求を行う。その際、必要な認証情報は認証情報管理部１３０７から認証情報送信部１３０４を介して送信される。【０２４８】
一方、携帯端末１０７はＨＧＷにも通信部１３０１を介して接続を行う（認証に関しては同上）。アクセス権限取得部１３０５はＨＧＷ１０４からＦＧＷ１０５がＨＧＷ１０４にアクセスするために必要なアクセス権限を取得し、アクセス権限送信部１３０６がそれをＦＧＷ１０５に送信する。【０２４９】
図１４は、サービスプロバイダ１０８が提供するサーバの要部構成を示す機能ブロック図である。サーバは、ＳＩＰサーバ機能を有し、通信部１４０１、登録受付部１４０２、登録機器管理部１４０３、接続要求受付部１４０４、端末認証部１４０５、接続確立部１４０６、および、認証情報管理部１４０８、携帯端末からのログオフ要求を受け付けたり、携帯端末の状況問い合わせを受け付けたりする携帯端末管理部１４０７を含んで構成されている。【０２５０】
ここではＨＧＷ−ＦＧＷ間の二点間にセッションを確立するためにＳＩＰを用いているためＳＩＰサーバが必要になるが、ＨＧＷ−ＦＧＷ間の通信経路は直接接続など他の手段により実現することも可能であり、この場合、ＳＩＰサーバが必要でない。【０２５１】
〔実施形態２〕
実施形態１においては、ＦＧＮ１０２内に存在する携帯端末１０７やプレーヤ１０６などの機器の状況によってアクセス権限を無効化する構成について説明した。これに対し、ＦＧＷ１０５が携帯端末１０７やプレーヤ１０６の状況によってアクセス権限を無効化するのではなく、ＨＧＷ１０４の状況によって間接的にアクセス権限を無効化することも考えられる。本実施形態では２つのパターンを示す。【０２５２】
図１５は、自宅と別宅のほかに、さらに異なる別宅が加わって構成されるコンテンツ配信システムの概略構成図である。この構成の場合、フォーリンネットワーク１０２（ＦＮＷ１）にて携帯端末１０７を使用してプレーヤ１０６からホームネットワーク１０１（ＨＮＷ）上のメディアサーバ１０３に格納されているコンテンツにアクセスした後、ユーザが携帯端末１０７を持ってＦＮＷ１とは異なるフォーリンネットワーク１０９（ＦＮＷ２）に移動し、今度はプレーヤ１１１からＦＧＷ１１０（外部コンテンツ配信サーバ）を介してホームネットワーク１０１（ＨＮＷ）上のメディアサーバ１０３にアクセスするという状況が起こりうる。このとき、ＦＮＷ１０２内のプレーヤ１０６からのアクセス権限を無効化しないと、ホームネットワーク１０１（ＨＮＷ）へ同時に二箇所からアクセスできるという好ましくない状況が発生してしまう。【０２５３】
この状況を回避するための無効化手順を以下に説明する。図１６の（ａ）は、ＦＧＷ１１０が携帯端末１０７によって取得した認証情報を用いてＨＧＷ１０４からアクセスを許可されたときに、既に携帯端末１０７によって取得した認証情報を用いてＨＧＷ１０４からアクセス許可を受けていたＦＧＷ１０５のアクセス権限を無効にする手順を示すシーケンス図である。【０２５４】
まず、ＦＧＷ１０５は、携帯端末１０７によって取得した認証情報を用いて、ＨＧＷ１０４からアクセスを許可される。つまり、ＦＧＷ１０５はＨＧＷ１０４に対するアクセス権限を取得する（Ｓ１６１１）。【０２５５】
その後、携帯端末１０７を所持するユーザは、ＦＧＷ１０５の属するＦＮＷ１０２から、ＦＧＷ１１０の属するＦＮＷ１０９に移動する。そして、ＦＧＷ１１０は、携帯端末１０７によって取得した認証情報を用いて、ＨＧＷ１０４からアクセスを許可される。つまり、ＦＧＷ１１０はＨＧＷ１０４に対するアクセス権限を取得する（Ｓ１６１２）。【０２５６】
このとき、ＨＧＷ１０４はＦＧＷ１０５のアクセス権限を無効化する（Ｓ１６１３）。Ｓ１６１３におけるアクセス権限の無効化は、実施の形態１において説明したＳ６１４におけるアクセス権限の無効化と同様である。この場合、ＦＧＷ１０５は、ＦＧＷ１１０によってアクセス権限が取得されたことについてＨＧＷ１０４を介して検知し、アクセス権限を無効化する処理を行う。なお、この場合、アクセス権限の無効化は、ＦＧＷ１１０からＨＧＷ１０４に対してＦＧＷ１０５のアクセス権限を無効化する要求を行い、その要求に従ってＨＧＷ１０４がＦＧＷ１０５からのアクセスを受け付けないようにする構成であってもよく、特に限定はされない。【０２５７】
さらにＨＧＷ１０４は、ＦＧＷ１０５にアクセス権限を無効化する要求を送信し（Ｓ１６１４）、それを受けたＦＧＷ１０５はＨＧＷ１０４へのアクセス権限を無効化する。このアクセス権限の無効化は、実施の形態１において説明したＳ６１２におけるアクセス権限の無効化と同様である。【０２５８】
図１６の（ｂ）は、携帯端末１０７が、インターネットや携帯網を通じて、ＨＧＷ１０４に直接アクセスして、ＦＧＷ１０５のアクセス権限を無効化する手順を示すシーケンス図である。まず、別宅のＦＮＷ１０２において、携帯端末１０７によって取得した認証情報を用いて、ＦＧＷ１０５は、ＨＮＷ１０１へのアクセス権限を取得する（Ｓ１６２１）。その後、携帯端末１０７を所持するユーザが別宅を離れ、携帯端末１０７から直接ＨＧＷ１０４に接続したとき（Ｓ１６２２）、ＨＧＷ１０４はＦＧＷ１０５からのアクセスを無効化する（Ｓ１６２３）。Ｓ１６２３におけるアクセス権限の無効化は、実施の形態１において説明したＳ６１４におけるアクセス権限の無効化と同様である。【０２５９】
さらにＨＧＷ１０４からＦＧＷ１０５にアクセス権限を無効化する要求を送信し（Ｓ１６２４）、それを受けたＦＧＷ１０５はＨＧＷ１０４へのアクセス権限を無効化する。このアクセス権限の無効化は、実施の形態１において説明したＳ６１２におけるアクセス権限の無効化と同様である。【０２６０】
本実施形態において説明した構成によって、万が一、ＦＮＷ１０２でアクセス権限が有効なままであっても、携帯端末１０７からアクセス権限の無効化要求を受けて、アクセス権限を無効化することができる。つまり、いつどこでも携帯端末１０７を用いて自宅内のＨＧＷ１０４にアクセスすることによって、自宅外部からのアクセスを防ぐことが可能となる。【０２６１】
なお、実施の形態１と実施の形態２によって説明したアクセス権限の無効化手順を組み合わせてもよく、その場合は、それぞれの無効化手順に優先度を設ける。例えば、図１５に示すシステム構成において、ＦＮＷ１０２に属するプレーヤ１０６がＦＧＷ１０５を介してメディアサーバ１０３にアクセス中であっても、ＦＮＷ１０９において携帯端末１０７を通じてＦＧＷ１１０がＨＧＷ１０４へのアクセス権限を取得したときには、ＦＧＷ１０５からのアクセス権限を無効化することなどが考えられ、特に限定はされない。【０２６２】
以上に説明した実施例においては、プレーヤ１０６と携帯端末１０７が異なる機器である場合について説明したが、これらの機器は一体的に構成された単一の機器であってもよく、特に限定はされない。【０２６３】
また、以上に説明した実施形態においては、アクセス権限の無効化手順について、アクセス権限が無効になったことをＦＧＷ１０５に明示的に知らせるためにＨＧＷ１０４からＦＧＷ１０５へアクセス権限無効化の要求を送信するようにしたが、これをあえて送信せず、ＦＧＷ１０５からＨＧＷ１０４にアクセスに来たときにアクセスを拒否することによって暗示的に知らせるようにしてもよい。【０２６４】
（他の構成）
なお、本発明を、以下のように表現することも可能である。【０２６５】
（第１の構成）
外部ゲートウェイの管理下にあるコンテンツを、自機の管理下にあるコンテンツ再生装置に配信するためのゲートウェイ装置であって、上記外部ゲートウェイを指定するための外部ゲートウェイ指定情報を、当該ゲートウェイ装置と通信可能な携帯端末を介して取得する外部ゲートウェイ指定情報取得手段と、上記外部ゲートウェイ指定情報により指定された上記外部ゲートウェイとの間に、通信経路を確立する通信路確立手段と、上記外部ゲートウェイの管理下にあるコンテンツを、上記通信経路確立手段により確立された通信経路を介して、上記外部ゲートウェイから取得するコンテンツ取得手段と、上記コンテンツ取得手段により取得されたコンテンツを、当該ゲートウェイ装置の管理下にあるコンテンツ再生装置に配信するコンテンツ配信手段と、上記通信経路確立手段により確立された通信路を切断する通信路切断手段と、を備えたゲートウェイ装置。【０２６６】
（第２の構成）
上記外部ゲートウェイにより発行された認証情報を、上記携帯端末から取得する認証情報取得手段を備え、上記接続確立手段は、取得した上記認証情報を用いて上記外部ゲートウェイとの間に認証された通信経路を確立するものである、ことを特徴とする第１の構成に記載のゲートウェイ装置。【０２６７】
（第３の構成）
上記通信路切断手段は、上記携帯端末からの認証情報を用いて確立された通信経路を、上記携帯端末からの指示によって切断することを特徴とする第２の構成に記載のゲートウェイ装置。【０２６８】
（第４の構成）
上記通信路切断手段は、上記携帯端末からの認証情報を用いて確立された通信経路を、上記携帯端末から受信した通信可能期間情報に基づいて切断することを特徴とする第２の構成に記載のゲートウェイ装置。【０２６９】
（第５の構成）
上記通信路切断手段は、上記携帯端末からの認証情報を用いて確立された通信経路を、上記携帯端末の存在が確認できないときに切断することを特徴とする第２の構成に記載のゲートウェイ装置。【０２７０】
（第６の構成）
上記通信路切断手段は、上記携帯端末からの認証情報を用いて確立された通信経路を、上記コンテンツ再生装置が終了した際に切断することを特徴とする第２の構成に記載のゲートウェイ装置。【０２７１】
（第７の構成）
上記通信路切断手段は、上記携帯端末からの認証情報を用いて確立された通信経路を、上記コンテンツ再生装置から上記外部ゲートウェイへのアクセス状況によって切断することを特徴とする第２の構成に記載のゲートウェイ装置。【０２７２】
（第８の構成）
上記通信路切断手段は、上記携帯端末からの認証情報を用いて確立された通信経路を、上記コンテンツ再生装置が上記外部ゲートウェイの管理下にあるコンテンツのリストを取得した際に、切断するまでの有効期間を設定することを特徴とする第７の構成に記載のゲートウェイ装置。【０２７３】
（第９の構成）
上記通信路切断手段は、上記携帯端末からの認証情報を用いて確立された通信経路を、上記コンテンツ再生装置が上記外部ゲートウェイの管理下にあるコンテンツの再生を途中で停止した際に、切断するまでの有効期間を設定することを特徴とする第７の構成に記載のゲートウェイ装置。【０２７４】
（第１０の構成）
上記通信路切断手段は、上記携帯端末からの認証情報を用いて確立された通信経路を、上記コンテンツ再生装置が上記外部ゲートウェイの管理下にあるコンテンツの再生を最後まで終了した際に、切断するまでの有効期間を設定することを特徴とする第７の構成に記載のゲートウェイ装置。【０２７５】
（第１１の構成）
上記通信路切断手段は、上記携帯端末からの認証情報を用いて確立された通信経路を、上記コンテンツ再生装置が上記外部ゲートウェイの管理下にある全てのコンテンツへのアクセスを完了した際に、切断するまでの有効期間を設定することを特徴とする第７の構成に記載のゲートウェイ装置。【０２７６】
（第１２の構成）
上記通信路切断手段は、上記携帯端末からの認証情報を用いて確立された通信経路を、上記携帯端末を用いて自機とは異なるゲートウェイと上記外部ゲートウェイとの間で通信路を確立した際に、切断することを特徴とする第２の構成に記載のゲートウェイ装置。【０２７７】
（第１３の構成）
上記通信路切断手段は、上記携帯端末からの認証情報を用いて確立された通信経路を、上記携帯端末と上記外部ゲートウェイとの間で通信路を確立した際に、切断することを特徴とする第２の構成に記載のゲートウェイ装置。【０２７８】
（第１４の構成）
上記コンテンツ再生装置は、上記コンテンツ配信手段により配信されたコンテンツを受信するコンテンツ取得手段と、上記受信したコンテンツを再生するコンテンツ再生手段と、を備えることを特徴とするコンテンツ再生装置。【０２７９】
（第１５の構成）
自機の管理下にあるコンテンツを、自機と通信可能なゲートウェイ装置に送信するゲートウェイ装置であって、上記携帯端末に対して認証情報を送信する認証情報送信手段と、
第１の構成乃至第１３の構成に記載のゲートウェイ装置と通信路を確立する通信路確立手段と、請求項１乃至請求項１３に記載のゲートウェイ装置に、上記通信経路確立手段により確立された通信経路を介して、自機の管理下にあるコンテンツを配信するコンテンツ配信手段と、上記通信経路確立手段により確立された通信路を切断する通信路切断手段と、を備えることを特徴とする外部ゲートウェイ装置。【０２８０】
（第１６の構成）
自機と予め関連付けられた外部ゲートウェイと、自機と通信可能なゲートウェイ装置とで通信路を確立させるための携帯端末であって、第１の構成乃至第１３の構成に記載のゲートウェイ装置の上記認証情報取得手段に対して認証情報を送信する認証情報送信手段と上記外部ゲートウェイ装置の上記認証情報送信手段より送信された認証情報を取得する認証情報取得手段と、を備えることを特徴とする携帯端末。【０２８１】
（第１７の構成）
ネットワークで接続された機器間でコンテンツを共有可能なネットワークシステムであって、第１の構成乃至第１３の構成に記載のゲートウェイ装置の管理下に、第１４の構成に記載のコンテンツ再生装置と、第１６の構成に記載の携帯端末と、を含むことを特徴とするネットワークシステム。【０２８２】
最後に、フォーリンゲートウェイ（ＦＧＷ）１０５に含まれる各ブロックは、ハードウェアロジックによって構成してもよいし、次のようにＣＰＵを用いてソフトウェアによって実現してもよい。【０２８３】
すなわち、フォーリンゲートウェイ１０５は、各機能を実現する画像表示プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるフォーリンゲートウェイ１０５の画像表示プログラムのプログラムコード（実行形式プログラム、中間コードプログラム、ソースプログラム）をコンピュータで読み取り可能に記録した記録媒体を、フォーリンゲートウェイ１０５に供給し、そのコンピュータ（またはＣＰＵやＭＰＵ）が記録媒体に記録されているプログラムコードを読み出し実行することによっても、達成可能である。【０２８４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０２８５】
また、フォーリンゲートウェイ１０５を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０２８６】
また、携帯端末１０７に含まれる各ブロックも、ハードウェアロジックによって構成してもよいし、フォーリンゲートウェイ１０５について上述したのと同様に、ＣＰＵを用いてソフトウェアによって実現してもよい。また、ホームゲートウェイ（ＨＧＷ）１０４に含まれる各ブロックも、ハードウェアロジックによって構成してもよいし、フォーリンゲートウェイ１０５について上述したのと同様に、ＣＰＵを用いてソフトウェアによって実現してもよい。【０２８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。【０２８８】
本発明に係るコンテンツ配信サーバは、自機が属するネットワークの外部に存在するコンテンツ提供サーバによって管理されるコンテンツを、自機によって管理され、上記コンテンツを再生するコンテンツ再生装置に配信するコンテンツ配信サーバであって、上記コンテンツ提供サーバにアクセスして上記コンテンツを取得するために必要な認証情報を、ユーザが所持する端末装置を介して取得する認証情報取得手段と、上記認証情報に基づき、上記コンテンツ提供サーバにアクセスするためのアクセス権限を上記コンテンツ提供サーバから取得するアクセス権限取得手段とを備え、上記アクセス権限が取得されたあとにおいて、上記端末装置と通信できなくなったとき、上記アクセス権限を無効化するアクセス権限無効化手段とを備えている。【０２８９】
また、本発明に係るコンテンツ配信サーバは、上記アクセス権限が取得されたあとにおいて、上記アクセス権限を取得してから経過した期間が、上記ユーザによって設定される上記アクセス権限の有効期間を超えたとき、上記アクセス権限を無効化するアクセス権限無効化手段とを備えている。【０２９０】
また、本発明に係るコンテンツ配信サーバは、上記コンテンツ再生装置の再生機能の終了を検出する再生機能終了検出手段と、上記アクセス権限が取得されたあとにおいて、上記再生機能終了検出手段が上記再生機能の終了を検出したとき、上記アクセス権限を無効化するアクセス権限無効化手段とを備えている。【０２９１】
また、本発明に係るコンテンツ配信サーバは、上記コンテンツ再生装置におけるコンテンツの再生状況を検出する再生状況検出手段と、上記アクセス権限が取得されたあとにおいて、上記再生状況に応じて定まる時間が経過したとき、上記アクセス権限を無効化するアクセス権限無効化手段とを備えている。【０２９２】
また、上記アクセス権限が取得されたあとにおいて、自機とは異なる外部コンテンツ配信サーバが上記端末装置を介して取得した上記認証情報を用いて上記アクセス権限を上記コンテンツ提供サーバから取得したとき、上記アクセス権限を無効化するアクセス権限無効化手段とを備えている。【０２９３】
本発明に係るコンテンツ提供サーバは、上記コンテンツ配信サーバが属するネットワークの外部に存在し、該コンテンツ配信サーバからの要求に応じて、上記アクセス権限を無効化するコンテンツ配信サーバアクセス権限無効化手段を備えている。【０２９４】
それゆえ、適切な契機で、コンテンツ配信サーバのコンテンツ提供サーバに対するアクセス権限を無効化でき、自宅のコンテンツに対して意図しない外部からのアクセスを防止することができるようになる。【０２９５】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０２９６】
本発明は、コンテンツ提供サーバの管理下にあるコンテンツを自機の管理下にあるコンテンツ再生装置に配信するためのコンテンツ配信サーバとして利用することができる。特に、ユーザがコンテンツを視聴した後、適切な契機でコンテンツ提供サーバへのアクセスを制限するゲートウェイ装置として利用することができる。
【図１】
2008050560.tif 000003
【図２】
2008050560.tif 000004
【図３】
2008050560.tif 000005
【図４】
2008050560.tif 000006
【図５】
2008050560.tif 000007
【図６】
2008050560.tif 000008
【図７】
2008050560.tif 000009
【図８】
2008050560.tif 000010
【図９】
2008050560.tif 000011
【図１０】
2008050560.tif 000012
【図１１】
2008050560.tif 000013
【図１２】
2008050560.tif 000014
【図１３】
2008050560.tif 000015
【図１４】
2008050560.tif 000016
【図１５】
2008050560.tif 000017
【図１６】
2008050560.tif 000018
【図１７】
2008050560.tif 000019
【図１８】
2008050560.tif 000020
【図１９】
2008050560.tif 000021
【国際調査報告】
2008050560.tif 000022
2008050560.tif 000023
2008050560.tif 000024
2008050560.tif 000025